(57)【要約】【課題】表示される文字等の大きさを任意に変化させることができ、表示サイズの変化そのものに演出効果を発揮し得るセグメント表示器及びそれを搭載した遊技機を提供する。【解決手段】複数の表示セグメント１１〜１６を用いて文字又は図形を表示するセグメント表示器１０は、複数の表示セグメント１１〜１６のうち少なくともひとつが移動可能に設けられている。そして、表示セグメントを移動させることで、表示される文字又は図形の大きさを変化させるようにしている。【選択図】図１
2010201042.tif 000002
【特許請求の範囲】
【請求項１】
複数の表示セグメントを用いて文字又は図形を表示するセグメント表示器であって、
前記複数の表示セグメントを用いて表示される文字又は図形の大きさを変化させる表示変化手段を備えたことを特徴とするセグメント表示器。
【請求項２】
前記表示変化手段は、前記複数の表示セグメントのうち、少なくとも一の前記表示セグメントを他の前記表示セグメントに対して相対的に移動させる移動手段を備えていることを特徴とする請求項１に記載のセグメント表示器。
【請求項３】
前記複数の表示セグメントは、互いに並設されるように配置されており、
前記移動手段は、少なくとも一の前記表示セグメントを他の前記表示セグメントに対して接近あるいは離間する方向に移動させることを特徴とする請求項２に記載のセグメント表示器。
【請求項４】
各前記表示セグメントは、可動体に固定された発光体と、当該発光体を囲むように立設されたセグメント枠部を有するとともに、隣り合う前記表示セグメントにおける前記セグメント枠部が連続的に立設した状態となるように互いに並設されていることを特徴とする請求項２又は請求項３に記載のセグメント表示器。
【請求項５】
前記発光体からの光を透過する第１の透過部であって、前記表示セグメントの一部を構成する第１の形状に形成された第１の透過部を有する第１のマスクシートを含み、前記発光体及び前記第１のマスクシートが一体に可動する前記一の表示セグメントとしての第１のセグメント部材と、
前記発光体からの光を透過する第２の透過部であって、前記表示セグメントの前記第１の形状に隣接する第２の形状に形成された第２の透過部を有する第２のマスクシートを含み、前記発光体及び前記第２のマスクシートが一体に可動する前記他の表示セグメントとしての第２のセグメント部材とを備え、
前記移動手段は、
前記第１の透過部の一部と前記第２の透過部の一部とが重畳した状態となるように、前記第１のセグメント部材及び前記第２のセグメント部材を接近あるいは離間する方向に移動させることを特徴とする請求項４に記載のセグメント表示器。
【請求項６】
前記第１のマスクシートの前記第１の透過部を透過する前記発光体からの光を拡散させる第１の拡散シートと、
前記第２のマスクシートの前記第２の透過部を透過する前記発光体からの光を拡散させる第２の拡散シートと、
を備えることを特徴とする請求項５に記載のセグメント表示器。
【請求項７】
請求項１から請求項６のいずれかに記載されたセグメント表示器を搭載した遊技機。
【請求項８】
遊技者による操作が可能な操作手段と、
遊技者の操作に応じて遊技の進行を制御する制御手段と、
遊技者にとって有利な遊技状態へ移行するか否かの抽選を行う抽選手段と、
図柄を変動表示し、前記抽選の結果に応じて前記図柄を停止表示させる図柄表示手段と、を備え、
前記図柄表示手段は、複数の表示セグメントを用いて文字又は図形を表示するセグメント表示器であって、前記複数の表示セグメントを用いて表示される文字又は図形の大きさを変化させるものであることを特徴とする遊技機。
【発明の詳細な説明】
【技術分野】
【０００１】
本発明は、セグメント表示器及びそれを搭載した遊技機に関する。
【背景技術】
【０００２】
従来、パチンコ遊技機においては、遊技盤の一部に設けられた表示装置に例えば３桁の数字等の図柄を表示し、遊技盤上の特定領域に遊技球が入球した場合に、図柄を変動させた後に停止表示させ、３桁の図柄の停止表示状態に応じて遊技者に賞を付与するようになされている（特許文献１参照）。
【０００３】
かかるパチンコ遊技機等に搭載される表示装置として、図柄（文字）を複数のセグメントに分割し、各セグメントを選択的に点灯又は消灯させることにより、所望の図柄（文字）を表示するようになされた、いわゆるセグメント表示器が用いられている。このセグメント表示器は、例えば、複数のＬＥＤ（発光ダイオード）を用いて構成されており、各ＬＥＤを選択的に発光又は発光停止させることにより、所望の図柄（文字）を表示させることができる。この表示装置においては、表示される図柄（文字）の大きさを変えるようになされている。また、特許文献２には、表示される文字のサイズを変化させる他のセグメント表示器が開示されている。
【先行技術文献】
【特許文献】
【０００４】
【特許文献１】特開２００１−２２２９９号公報
【特許文献２】特開平７−２６１６７６号公報
【発明の概要】
【発明が解決しようとする課題】
【０００５】
上述した従来のセグメント表示器においては、文字を表示するセグメントの数を増やすことによって、表示される文字の大きさを拡大するものであり、その拡大率は、使用するセグメントの大きさや数によって固定的に決まるものであり、任意の大きさに変化させることは困難であった。
【０００６】
また、この種の従来のセグメント表示器では、予め決められた位置に配置されているセグメントを選択的に点灯又は消灯することによって文字の大きさを拡大又は縮小するのみであり、文字の大きさの変化そのものによる演出効果は少ないものであった。
【０００７】
そこで、本発明は、表示される文字等の大きさを任意に変化させることができ、表示サイズの変化そのものに演出効果を発揮し得るセグメント表示器及び遊技機を提供することを目的とする。
【課題を解決するための手段】
【０００８】
本発明の実施の形態に係る特徴は、セグメント表示器において、複数の表示セグメントを用いて文字又は図形を表示するセグメント表示器であって、前記複数の表示セグメントを用いて表示される文字又は図形の大きさを変化させる表示変化手段を備えたことである。
【０００９】
この構成によれば、表示変化手段によって文字又は図形の大きさを変化させることができるので、単にセグメントの点灯又は消灯によって文字又は図形の大きさを変化させる場合に比べて、これまでにない演出効果を発揮することが可能となる。
【００１０】
本発明の実施の形態に係る特徴は、前記構成において、前記表示変化手段は、前記複数の表示セグメントのうち、少なくとも一の前記表示セグメントを他の前記表示セグメントに対して相対的に移動させる移動手段を備えていることである。
【００１１】
この構成によれば、表示セグメントの移動という機械的な変化により文字又は図形の大きさを変えることができるので、文字又は大きさの変化そのものに演出効果を発揮させることができる。
【００１２】
本発明の実施の形態に係る特徴は、前記構成において、前記複数の表示セグメントは、互いに並設されるように配置されており、前記移動手段は、少なくとも一の前記表示セグメントを他の前記表示セグメントに対して接近あるいは離間する方向に移動させることである。
【００１３】
この構成によれば、並設された表示セグメントの移動という機械的な変化により文字又は図形の大きさを変えることができるので、文字又は大きさの変化そのものに演出効果を発揮させることができる。
【００１４】
本発明の実施の形態に係る特徴は、前記構成において、各前記表示セグメントは、可動体に固定された発光体と、当該発光体を囲むように立設されたセグメント枠部を有するとともに、隣り合う前記表示セグメントにおける前記セグメント枠部が連続的に立設した状態となるように互いに並設されていることである。
【００１５】
この構成によれば、発光体を囲むように立設されたセグメント枠部によって発光領域が形成され、さらに隣り合う表示セグメントにおけるセグメント枠部が連続的に形成されていることにより、隣り合う表示セグメントの発光領域が連続的に形成されることになる。これにより、隣り合う表示セグメントを離間させて表示される文字又は図形の大きさを大きくした場合であっても、表示される文字又は図形を均一に発光させることができる。
【００１６】
本発明の実施の形態に係る特徴は、前記構成において、前記発光体からの光を透過する第１の透過部であって、前記表示セグメントの一部を構成する第１の形状に形成された第１の透過部を有する第１のマスクシートを含み、前記発光体及び前記第１のマスクシートが一体に可動する前記一の表示セグメントとしての第１のセグメント部材と、前記発光体からの光を透過する第２の透過部であって、前記表示セグメントの前記第１の形状に隣接する第２の形状に形成された第２の透過部を有する第２のマスクシートを含み、前記発光体及び前記第２のマスクシートが一体に可動する前記他の表示セグメントとしての第２のセグメント部材とを備え、前記移動手段は、前記第１の透過部の一部と前記第２の透過部の一部とが重畳した状態となるように、前記第１のセグメント部材及び前記第２のセグメント部材を接近あるいは離間する方向に移動させることである。
【００１７】
この構成によれば、表示される数字等の一部を構成する第１の形状で形成された第１の透過部を有する第１のマスクシートと、第１の形状に隣接する第２の形状で形成された第２の透過部を有する第２のマスクシートとを、第１の形状及び第２の形状の接続を保ちながら、互いの距離が変化するように可動させることにより、表示される数字等の一部の大きさを各々変化させ、これにより、表示される数字等の全体としての大きさを変化させることができる。
【００１８】
本発明の実施の形態に係る特徴は、前記構成において、前記第１のマスクシートの前記第１の透過部を透過する前記発光体からの光を拡散させる第１の拡散シートと、前記第２のマスクシートの前記第２の透過部を透過する前記発光体からの光を拡散させる第２の拡散シートと、を備えることである。
【００１９】
この構成によれば、拡散シートを用いて発光体からの光を拡散させることにより、第１及び第２のセグメント部材の間隔を拡げた場合においても、発光体からの光を均一に発光させることができる。
【００２０】
本発明の実施の形態に係る特徴は、遊技機において、前記いずれかに記載されたセグメント表示器を搭載した遊技機。
【００２１】
この構成によれば、表示変化手段によって図柄の大きさを変化させることができるので、単にセグメントの点灯又は消灯によって図柄の大きさを変化させる場合に比べて、これまでにない演出効果を発揮することが可能となる。このようなセグメント表示器を搭載した遊技機においては、遊技の抽選結果に応じて変動表示及び停止表示される図柄の大きさが変化するという演出によって、遊技者の期待感を煽ることが可能となり、遊技の興趣性を一段と高めることができる。
【００２２】
本発明の実施の形態に係る特徴は、遊技機において、遊技者による操作が可能な操作手段と、遊技者の操作に応じて遊技の進行を制御する制御手段と、遊技者にとって有利な遊技状態へ移行するか否かの抽選を行う抽選手段と、図柄を変動表示し、前記抽選の結果に応じて前記図柄を停止表示させる図柄表示手段と、を備え、前記図柄表示手段は、複数の表示セグメントを用いて文字又は図形を表示するセグメント表示器であって、前記複数の表示セグメントを用いて表示される文字又は図形の大きさを変化させることである。
【００２３】
この構成によれば、表示変化手段によって図柄の大きさを変化させることができるので、単にセグメントの点灯又は消灯によって図柄の大きさを変化させる場合に比べて、これまでにない演出効果を発揮することが可能となる。このようなセグメント表示器を搭載した遊技機においては、遊技の抽選結果に応じて変動表示及び停止表示される図柄の大きさが変化するという演出によって、遊技者の期待感を煽ることが可能となり、遊技の興趣性を一段と高めることができる。
【発明の効果】
【００２４】
本発明によれば、表示される文字等の大きさを任意に変化させることができ、表示サイズの変化そのものに演出効果を発揮し得るセグメント表示器及び遊技機を提供することを目的とする。
【図面の簡単な説明】
【００２５】
【図１】本発明のセグメント表示器の一実施形態を示す正面図である。
【図２】セグメント表示器の各表示セグメントを示す正面図である。
【図３】セグメント表示器のセグメント枠の配置を示す正面図である。
【図４】セグメント表示器のセグメント枠の配置を示す正面図である。
【図５】セグメント表示器のセグメント枠の配置を示す斜視図である。
【図６】セグメント表示器のセグメント枠の構成を示す部分的斜視図である。
【図７】セグメント表示器によって表示される数字を示す略線図である。
【図８】セグメント表示器の移動機構部の構成を示す正面図である。
【図９】セグメント表示器の移動機構部の構成を示す正面図である。
【図１０】セグメント表示器の移動機構部の背面部を示す斜視図である。
【図１１】セグメント表示器の移動機構部の側面図である。
【図１２】セグメント表示器の移動機構部の側面図である。
【図１３】セグメント表示器の移動機構部及びセグメント枠を示す斜視図である。
【図１４】セグメント表示器の移動機構部及びセグメント枠を示す斜視図である。
【図１５】セグメント表示器の各発光体の端子の説明に供する略線図である。
【図１６】セグメント表示器の表示状態を示す略線図である。
【図１７】セグメント表示器の表示状態を示す略線図である。
【図１８】本発明のパチンコ遊技機の一実施形態を示す斜視図である。
【図１９】パチンコ遊技機の遊技盤の構成を示す正面図である。
【図２０】パチンコ遊技機の制御回路を示すブロック図である。
【図２１】パチンコ遊技機において実行されるメイン処理の処理手順を示すフローチャートである。
【図２２】パチンコ遊技機において実行されるシステムタイマ割込処理の処理手順を示すフローチャートである。
【図２３】パチンコ遊技機において実行される特別図柄制御処理の処理手順を示すフローチャートである。
【図２４】パチンコ遊技機において実行される普通図柄制御処理の処理手順を示すフローチャートである。
【図２５】パチンコ遊技機において実行される副制御回路メイン処理の処理手順を示すフローチャートである。
【図２６】パチンコ遊技機において実行される表示制御処理の処理手順を示すフローチャートである。
【図２７】パチンコ遊技機の図柄表示部において表示される図柄（数字）の表示態様を示す略線図である。
【図２８】他の実施の形態の移動機構部を示す正面図である。
【図２９】他の実施の形態の移動機構部を示す正面図である。
【図３０】他の実施の形態の移動機構部を示す側面図である。
【図３１】他の実施の形態の移動機構部を示す側面図である。
【図３２】他の実施の形態の移動機構部を示す正面図である。
【図３３】他の実施の形態の移動機構部を示す正面図である。
【図３４】他の実施の形態の移動機構部を示す側面図である。
【図３５】他の実施の形態の移動機構部を示す側面図である。
【図３６】他の実施の形態のセグメント枠の構成を示す斜視図である。
【発明を実施するための形態】
【００２６】
以下に、本発明に好適な実施形態について図面に基づいて説明する。
（セグメント表示器）
最初に、本実施の形態のセグメント表示器について説明する。
図１（ａ）、（ｂ）は、本実施の形態に係るセグメント表示器１０を示す正面図である。図１（ａ）、（ｂ）に示すように、このセグメント表示器１０は、複数の表示セグメント１１、１２、１３、１４、１５、１６を有し、これらの表示セグメント１１〜１６によって文字又は図形（図柄）を表示するようになされている。本実施の形態の場合、数字を表示する。
【００２７】
図１（ａ）に示すように、表示セグメント１１〜１６を互いに近づくように移動させることで、これら複数の表示セグメント１１〜１６によって表示される数字を小さくすることができ、また、図１（ｂ）に示すように、表示セグメント１１〜１６を互いに離間するように移動させることにより、これら複数の表示セグメント１１〜１６によって表示される数字を大きくすることができる。
【００２８】
図２に示すように、表示セグメント１１〜１６には、数字「８」を分割してなる領域Ａ１、Ａ２、Ｂ１、Ｂ２、Ｃ１、Ｃ２、Ｄ１、Ｄ２、Ｅ１、Ｅ２、Ｆ１、Ｆ２、Ｇ１及びＧ２が割り当てられている。
【００２９】
すなわち、表示セグメント１１には、領域Ａ２、Ｂ１が割り当てられ、表示セグメント１２には、領域Ｂ２、Ｃ１、Ｇ２が割り当てられ、表示セグメント１３には、領域Ｃ２、Ｄ１が割り当てられ、表示セグメント１４には、領域Ｄ２、Ｅ１が割り当てられ、表示セグメント１５には、領域Ｅ２、Ｆ１、Ｇ１が割り当てられ、表示セグメント１６には、領域Ｆ２、Ａ１が割り当てられている。
【００３０】
表示セグメント１１に割り当てられている領域Ａ２は、表示セグメント１６に割り当てられている領域Ａ１と一部が重なり合って連接することによって、数字「８」の一部（後述する横画Ｎ７（図７））が表現される。表示セグメント１１に割り当てられている領域Ｂ１は、表示セグメント１２に割り当てられている領域Ｂ２と一部が重なり合って連接することによって、数字「８」の一部（後述する縦画Ｎ１（図７））が表現される。表示セグメント１２に割り当てられている領域Ｇ２は、表示セグメント１５に割り当てられている領域Ｇ１と一部が重なり合って連接することによって、数字「８」の一部（後述する横画Ｎ５（図７））が表現される。表示セグメント１２に割り当てられている領域Ｃ１は、表示セグメント１３に割り当てられている領域Ｃ２と一部が重なり合って連接することによって、数字「８」の一部（後述する縦画Ｎ２（図７））が表現される。表示セグメント１３に割り当てられている領域Ｄ１は、表示セグメント１４に割り当てられている領域Ｄ２と一部が重なり合って連接することによって、数字「８」の一部（後述する横画Ｎ３（図７））が表現される。表示セグメント１４に割り当てられている領域Ｅ１は、表示セグメント１５に割り当てられている領域Ｅ２と一部が重なり合って連接することによって、数字「８」の一部（後述する縦画Ｎ４（図７））が表現される。表示セグメント１５に割り当てられている領域Ｆ１は、表示セグメント１６に割り当てられている領域Ｆ２と一部が重なり合って連接することによって、数字「８」の一部（後述する縦画Ｎ６（図７））が表現される。このように、表示セグメント１１〜１６に割り当てられている領域Ａ１〜Ｇ２が連接して１つの数字「８」が表現される。
【００３１】
表示セグメント１１においては、光を遮蔽するマスク部材２１の一部に、当該表示セグメント１１に割り当てられた領域Ａ２の形状に合わせて形成された透光部３１Ａと、当該表示セグメント１１に割り当てられた領域Ｂ１の形状に合わせて形成された透光部３１Ｂとが形成されており、透光部３１Ａの背後に配置された発光体ａ２（後述）からの光が当該透光部３１Ａを透過することで、領域Ａ２が発光して見え、また、透光部３１Ｂの背後に配置された発光体ｂ１（後述）からの光が当該透光部３１Ｂを透過することで、領域Ｂ１が発光して見えるようになされている。
【００３２】
また、表示セグメント１２においては、光を遮蔽するマスク部材２２の一部に、当該表示セグメント１２に割り当てられた領域Ｂ２の形状に合わせて形成された透光部３２Ｂと、当該表示セグメント１２に割り当てられた領域Ｇ２の形状に合わせて形成された透光部３２Ｇと、当該表示セグメント１２に割り当てられた領域Ｃ１の形状に合わせて形成された透光部３２Ｃとが形成されており、透光部３２Ｂの背後に配置された発光体ｂ２（後述）からの光が当該透光部３２Ｂを透過することで、領域Ｂ２が発光して見え、透光部３２Ｇの背後に配置された発光体ｇ２（後述）からの光が当該透光部３２Ｇを透過することで、領域Ｇ２が発光して見え、また、透光部３２Ｃの背後に配置された発光体ｃ１（後述）からの光が当該透光部３２Ｃを透過することで、領域Ｃ１が発光して見えるようになされている。
【００３３】
また、表示セグメント１３においては、光を遮蔽するマスク部材２３の一部に、当該表示セグメント１３に割り当てられた領域Ｃ２の形状に合わせて形成された透光部３３Ｃと、当該表示セグメント１３に割り当てられた領域Ｄ１の形状に合わせて形成された透光部３３Ｄとが形成されており、透光部３３Ｃの背後に配置された発光体ｃ２（後述）からの光が当該透光部３３Ｃを透過することで、領域Ｃ２が発光して見え、透光部３３Ｄの背後に配置された発光体ｄ１（後述）からの光が当該透光部３３Ｄを透過することで、領域Ｄ１が発光して見えるようになされている。
【００３４】
また、表示セグメント１４においては、光を遮蔽するマスク部材２４の一部に、当該表示セグメント１４に割り当てられた領域Ｄ２の形状に合わせて形成された透光部３４Ｄと、当該表示セグメント１４に割り当てられた領域Ｅ１の形状に合わせて形成された透光部３４Ｅとが形成されており、透光部３４Ｄの背後に配置された発光体ｄ２（後述）からの光が当該透光部３４Ｄを透過することで、領域Ｄ２が発光して見え、透光部３４Ｅの背後に配置された発光体ｅ１（後述）からの光が当該透光部３４Ｅを透過することで、領域Ｅ１が発光して見えるようになされている。
【００３５】
また、表示セグメント１５においては、光を遮蔽するマスク部材２５の一部に、当該表示セグメント１５に割り当てられた領域Ｅ２の形状に合わせて形成された透光部３５Ｅと、当該表示セグメント１５に割り当てられた領域Ｇ１の形状に合わせて形成された透光部３５Ｇと、当該表示セグメント１５に割り当てられた領域Ｆ１の形状に合わせて形成された透光部３５Ｆとが形成されており、透光部３５Ｅの背後に配置された発光体ｅ２（後述）からの光が当該透光部３５Ｅを透過することで、領域Ｅ２が発光して見え、透光部３５Ｇの背後に配置された発光体ｇ１（後述）からの光が当該透光部３５Ｇを透過することで、領域Ｇ１が発光して見え、また、透光部３５Ｆの背後に配置された発光体ｆ１（後述）からの光が当該透光部３５Ｆを透過することで、領域Ｆ１が発光して見えるようになされている。
【００３６】
また、表示セグメント１６においては、光を遮蔽するマスク部材２６の一部に、当該表示セグメント１６に割り当てられた領域Ｆ２の形状に合わせて形成された透光部３６Ｆと、当該表示セグメント１６に割り当てられた領域Ａ１の形状に合わせて形成された透光部３６Ａとが形成されており、透光部３６Ｆの背後に配置された発光体ｆ２（後述）からの光が当該透光部３６Ｆを透過することで、領域Ｆ２が発光して見え、透光部３６Ａの背後に配置された発光体ａ１（後述）からの光が当該透光部３６Ａを透過することで、領域Ａ１が発光して見えるようになされている。
【００３７】
各透光部３１Ａ、３１Ｂ、３２Ｂ、３２Ｇ、３２Ｃ、３３Ｃ、３３Ｄ、３４Ｄ、３４Ｅ、３５Ｅ、３５Ｇ、３５Ｆ、３６Ｆ、３６Ａの背後に配置された発光体ａ２、ｂ１、ｂ２、ｇ２、ｃ１、ｃ２、ｄ１、ｄ２、ｅ１、ｅ２、ｇ１、ｆ１、ｆ２、ａ１は、各々表示セグメント１１〜１６の移動に伴って、対応する透過部との位置関係を保ちながら移動するように構成されている。
【００３８】
図３及び図４は、各表示セグメント１１〜１６の発光体ａ２、ｂ１、ｂ２、ｇ２、ｃ１、ｃ２、ｄ１、ｄ２、ｅ１、ｅ２、ｇ１、ｆ１、ｆ２、ａ１を搭載する発光体基板５１、５２、５３、５４、５５、５６を示す正面図である。図３及び図４において、マスク部材２１〜２６は、一点鎖線で示している。
【００３９】
図３は、各表示セグメント１１〜１６を互いに近づくように移動させた状態を示し、図４は、各表示セグメント１１〜１６を互いに離間するように移動させた状態を示す図である。図３及び図４に示すように、表示セグメント１１の発光体基板５１には、発光体ａ２及びｂ１が搭載されている。また、発光体基板５１には、発光体ａ２及びｂ１をそれぞれ取り囲むようにセグメント枠６１が固定されている。セグメント枠６１は、全体が光を反射させ易い、例えば白色で着色されており、発光体ａ２及びｂ１からの光を前方へ反射するようになされている。
【００４０】
表示セグメント１２の発光体基板５２には、発光体ｂ２、ｇ２及びｃ１が搭載されている。また、発光体基板５２には、発光体ｂ２、ｇ２及びｃ１をそれぞれ取り囲むようにセグメント枠６２が固定されている。セグメント枠６２は、全体が光を反射させ易い、例えば白色で着色されており、発光体ｂ２、ｇ２及びｃ１からの光を前方へ反射するようになされている。
【００４１】
表示セグメント１３の発光体基板５３には、発光体ｃ２及びｄ１が搭載されている。また、発光体基板５３には、発光体ｃ２及びｄ１をそれぞれ取り囲むようにセグメント枠６３が固定されている。セグメント枠６３は、全体が光を反射させ易い、例えば白色で着色されており、発光体ｃ２及びｄ１からの光を前方へ反射するようになされている。
【００４２】
表示セグメント１４の発光体基板５４には、発光体ｄ２及びｅ１が搭載されている。また、発光体基板５４には、発光体ｄ２及びｅ１をそれぞれ取り囲むようにセグメント枠６４が固定されている。セグメント枠６４は、全体が光を反射させ易い、例えば白色で着色されており、発光体ｄ２及びｅ１からの光を前方へ反射するようになされている。
【００４３】
表示セグメント１５の発光体基板５５には、発光体ｅ２、ｇ１及びｆ１が搭載されている。また、発光体基板５５には、発光体ｅ２、ｇ１及びｆ１をそれぞれ取り囲むようにセグメント枠６５が固定されている。セグメント枠６５は、全体が光を反射させ易い、例えば白色で着色されており、発光体ｅ２、ｇ１及びｆ１からの光を前方へ反射するようになされている。
【００４４】
表示セグメント１６の発光体基板５６には、発光体ｆ２及びａ１が搭載されている。また、発光体基板５６には、発光体ｆ２及びａ１をそれぞれ取り囲むようにセグメント枠６６が固定されている。セグメント枠６６は、全体が光を反射させ易い、例えば白色で着色されており、発光体ｆ２及びａ１からの光を前方へ反射するようになされている。
【００４５】
図５は、図４に示すセグメント表示器１０の発光体基板及びセグメント枠が組み立てられた状態を示す斜視図である。図５に示すように、セグメント枠６１〜６６は、各発光体基板５１〜５６の表面に立設されて固定されている。
【００４６】
セグメント枠６１〜６６によって各発光体からの光が反射されることにより、前方へ十分な光量で光を照射させることができる。各セグメント枠６１〜６６の先端部には、マスク部材２１〜２６が貼着されている。
【００４７】
図６は、セグメント枠６１及び６２を拡大して示す部分的斜視図である。図６に示すように、表示セグメント１１（図２〜図４）を構成するセグメント枠６１においては、発光体ａ２（図３、図４）の周囲を取り囲む枠部６１Ａ、６１ＡＢを有している。この枠部６１Ａ、６１ＡＢの形状は、マスク部材２１（図２）に形成された透光部３１Ａの形状に合わせた形状に形成されている。すなわち、表示セグメント１１に割り当てられた領域Ａ２（図２）の形状に合わせた形状に形成されている。
【００４８】
また、このセグメント枠６１においては、発光体ｂ１（図３、図４）の周囲を取り囲む枠部６１Ｂ、６１ＡＢを有している。この枠部６１Ｂ、６１ＡＢの配置形状は、マスク部材２１（図２）に形成された透光部３１Ｂの形状に合わせた配置形状となっている。すなわち、表示セグメント１１に割り当てられた領域Ｂ１（図２）に合わせた配置形状となっている。但し、マスク部材２２（図２）に形成された透光部３２Ｂに連接する側には形成されていない。これにより、領域Ｂ１及びＢ２においては、発光体ｂ１及びｂ２からの光が混ざって、これらの領域の境界を見え難くすることができる。
【００４９】
セグメント枠６１は、発光体基板５１に固定されていることにより、発光体基板５１に搭載（固定）された発光体ａ２、ｂ１との位置関係も固定されている。これにより、図３及び図４について上述したように、発光体基板５１を移動させた場合においても、発光体ａ２、ｂ１とセグメント枠６１との位置関係は変わらない状態を維持するようになされている。
【００５０】
セグメント枠６１には、枠部６１Ａ、６１ＡＢに囲まれた領域において、発光体ａ２が設けられている部分を避けて、その底部に底板６１Ｚ１が形成されている。この底板６１Ｚ１を含めて、枠部６１Ａ、６１ＡＢは白色に着色されていることにより、発光体ａ２からの光をこれら枠部６１Ａ、６１ＡＢ及び底板６１Ｚ１において反射して、マスク部材２１の透光部３１Ａを介して効率良く前面側へ透過させることができる。
【００５１】
また、セグメント枠６１には、枠部６１Ｂ、６１ＡＢに囲まれた領域において、発光体ｂ１が設けられている部分を避けて、その底部に底板６１Ｚ２が形成されている。この底板６１Ｚ２を含めて、枠部６１Ｂ、６１ＡＢは白色に着色されていることにより、発光体ｂ１からの光をこれら枠部６１Ｂ、６１ＡＢ及び底板６１Ｚ２において反射して、マスク部材２１の透光部３１Ｂを介して効率良く前面側へ透過させることができる。
【００５２】
このように、表示セグメント１１においては、各発光体ａ２、ｂ１からの光を、各々に対応する透過部３１Ａ、３１Ｂを介して効率良く前面側へ透過させるようになされている。
【００５３】
また、図６において、表示セグメント１２（図２〜図４）を構成するセグメント枠６２においては、発光体ｂ２（図３、図４）の周囲を取り囲む枠部６２Ａ、６２ＡＢ、６２ＡＤを有している。この枠部６２Ａ、６２ＡＢ、６２ＡＤの配置形状は、マスク部材２２（図２）に形成された透光部３２Ｂの形状に合わせた配置形状となっている。すなわち、表示セグメント１２に割り当てられた領域Ｂ２（図２）に合わせた配置形状となっている。但し、マスク部材２１（図２）に形成された透光部３１Ｂに連接する側には形成されていない。これにより、領域Ｂ１及びＢ２においては、発光体ｂ１及びｂ２からの光が混ざって、これらの領域の境界を見え難くすることができる。
【００５４】
また、このセグメント枠６２においては、発光体ｇ２（図３、図４）の周囲を取り囲む枠部６２Ｂ、６２ＡＢ、６２ＢＣを有している。この枠部６２Ｂ、６２ＡＢ、６２ＢＣの配置形状は、マスク部材２２（図２）に形成された透光部３２Ｇの形状に合わせた配置形状となっている。すなわち、表示セグメント１２に割り当てられた領域Ｇ２（図２）に合わせた配置形状となっている。但し、マスク部材２５（図２）に形成された透光部３５Ｇに連接する側には形成されていない。これにより、領域Ｇ１及びＧ２においては、発光体ｇ１及びｇ２からの光が混ざって、これらの領域の境界を見え難くすることができる。
【００５５】
また、このセグメント枠６２においては、発光体ｃ１（図３、図４）の周囲を取り囲む枠部６２Ｃ、６２ＢＣ、６２ＡＤを有している。この枠部６２Ｃ、６２ＢＣ、６２ＡＤの配置形状は、マスク部材２２（図２）に形成された透光部３２Ｃの形状に合わせた配置形状となっている。すなわち、表示セグメント１２に割り当てられた領域Ｃ１（図２）に合わせた配置形状となっている。但し、マスク部材２３（図２）に形成された透光部３３Ｃに連接する側には形成されていない。これにより、領域Ｃ１及びＣ２においては、発光体ｃ１及びｃ２からの光が混ざって、これらの領域の境界を見え難くすることができる。
【００５６】
セグメント枠６２は、発光体基板５２に固定されていることにより、発光体基板５２に搭載（固定）された発光体ｂ２、ｇ２、ｃ１との位置関係も固定されている。これにより、図３及び図４について上述したように、発光体基板５２を移動させた場合においても、発光体ｂ２、ｇ２、ｃ１とセグメント枠６２との位置関係は変わらないままの状態を維持するようになされている。
【００５７】
セグメント枠６２には、枠部６２Ａ、６２ＡＢ、６２ＡＤに囲まれた領域において、発光体ｂ２が設けられている部分を避けて、その底部に底板６２Ｚ１が形成されている。この底板６２Ｚ１を含めて、枠部６２Ａ、６２ＡＢ、６２ＡＤは白色に着色されていることにより、発光体ｂ２からの光をこれら枠部６２Ａ、６２ＡＢ、６２ＡＤ及び底板６２Ｚ１において反射して、マスク部材２２の透光部３２Ｂを介して効率良く前面側へ透過させることができる。
【００５８】
また、セグメント枠６２には、枠部６２Ｂ、６２ＡＢ、６２ＢＣに囲まれた領域において、発光体ｇ２が設けられている部分を避けて、その底部に底板６２Ｚ２が形成されている。この底板６２Ｚ２を含めて、枠部６２Ｂ、６２ＡＢ、６２ＢＣは白色に着色されていることにより、発光体ｇ２からの光をこれら枠部６２Ｂ、６２ＡＢ、６２ＢＣ及び底板６２Ｚ２において反射して、マスク部材２２の透光部３２Ｇを介して効率良く前面側へ透過させることができる。
【００５９】
また、セグメント枠６２には、枠部６２Ｃ、６２ＢＣ、６２ＡＤに囲まれた領域において、発光体ｃ１が設けられている部分を避けて、その底部に底板６２Ｚ３が形成されている。この底板６２Ｚ３を含めて、枠部６２Ｃ、６２ＢＣ、６２ＡＤは白色に着色されていることにより、発光体ｃ１からの光をこれら枠部６２Ｃ、６２ＢＣ、６２ＡＤ及び底板６２Ｚ３において反射して、マスク部材２２の透光部３２Ｃを介して効率良く前面側へ透過させることができる。
【００６０】
このように、表示セグメント１２においては、各発光体ｂ２、ｇ２、ｃ１からの光を、各々に対応する透過部３２Ｂ、３２Ｇ、３２Ｃを介して効率良く前面側へ透過させるようになされている。
【００６１】
本実施の形態のセグメント表示器１０において、表示セグメント１３、１４、１６は、上述した表示セグメント１１と同様の構成を有しており、また、表示セグメント１５は、上述した表示セグメント１２と同様の構成を有している。
【００６２】
すなわち、表示セグメント１３（図２〜図４）を構成するセグメント枠６３においては、発光体ｃ２（図３、図４）の周囲を取り囲む枠部６３Ａ、６３ＡＢを有している。この枠部６３Ａ、６３ＡＢの配置形状は、マスク部材２３（図２）に形成された透光部３３Ｃの形状に合わせた配置形状となっている。すなわち、表示セグメント１３に割り当てられた領域Ｃ２（図２）に合わせた配置形状となっている。但し、マスク部材２２（図２）に形成された透光部３２Ｃに連接する側には形成されていない。これにより、領域Ｃ１及びＣ２においては、発光体ｃ１及びｃ２からの光が混ざって、これらの領域の境界を見え難くすることができる。
【００６３】
また、このセグメント枠６３においては、発光体ｄ１（図３、図４）の周囲を取り囲む枠部６３Ｂ、６３ＡＢを有している。この枠部６３Ｂ、６３ＡＢの配置形状は、マスク部材２３（図２）に形成された透光部３３Ｄの形状に合わせた配置形状となっている。すなわち、表示セグメント１３に割り当てられた領域Ｄ１（図２）に合わせた配置形状となっている。但し、マスク部材２４（図２）に形成された透光部３４Ｄに連接する側には形成されていない。これにより、領域Ｄ１及びＤ２においては、発光体ｄ１及びｄ２からの光が混ざって、これらの領域の境界を見え難くすることができる。
【００６４】
セグメント枠６３は、発光体基板５３に固定されていることにより、発光体基板５３に搭載（固定）された発光体ｃ２、ｄ１との位置関係も固定されている。これにより、図３及び図４について上述したように、発光体基板５３を移動させた場合においても、発光体ｃ２、ｄ１とセグメント枠６３との位置関係は変わらないままの状態を維持するようになされている。
【００６５】
セグメント枠６３には、枠部６３Ａ、６３ＡＢに囲まれた領域において、発光体ｃ２が設けられている部分を避けて、その底部に底板６３Ｚ１が形成されている。この底板６３Ｚ１を含めて、枠部６３Ａ、６３ＡＢは白色に着色されていることにより、発光体ｃ２からの光をこれら枠部６３Ａ、６３ＡＢ及び底板６３Ｚ１において反射して、マスク部材２３の透光部３３Ｃを介して効率良く前面側へ透過させることができる。
【００６６】
また、セグメント枠６３には、枠部６３Ｂ、６３ＡＢに囲まれた領域において、発光体ｄ１が設けられている部分を避けて、その底部に底板６３Ｚ２が形成されている。この底板６３Ｚ２を含めて、枠部６３Ｂ、６３ＡＢは白色に着色されていることにより、発光体ｄ１からの光をこれら枠部６３Ｂ、６３ＡＢ及び底板６３Ｚ２において反射して、マスク部材２３の透光部３３Ｄを介して効率良く前面側へ透過させることができる。
【００６７】
このように、表示セグメント１３においては、各発光体ｃ２、ｄ１からの光を、各々に対応する透過部３３Ｃ、３３Ｄを介して効率良く前面側へ透過させるようになされている。
【００６８】
また、表示セグメント１４（図２〜図４）を構成するセグメント枠６４においては、発光体ｄ２（図３、図４）の周囲を取り囲む枠部６４Ａ、６４ＡＢを有している。この枠部６４Ａ、６４ＡＢの配置形状は、マスク部材２４（図２）に形成された透光部３４Ｄの形状に合わせた配置形状となっている。すなわち、表示セグメント１４に割り当てられた領域Ｄ２（図２）に合わせた配置形状となっている。但し、マスク部材２３（図２）に形成された透光部３３Ｄに連接する側には形成されていない。これにより、領域Ｄ１及びＤ２においては、発光体ｄ１及びｄ２からの光が混ざって、これらの領域の境界を見え難くすることができる。
【００６９】
また、このセグメント枠６４においては、発光体ｅ１（図３、図４）の周囲を取り囲む枠部６４Ｂ、６４ＡＢを有している。この枠部６４Ｂ、６４ＡＢの配置形状は、マスク部材２４（図２）に形成された透光部３４Ｅの形状に合わせた配置形状となっている。すなわち、表示セグメント１４に割り当てられた領域Ｅ１（図２）に合わせた配置形状となっている。但し、マスク部材２５（図２）に形成された透光部３５Ｅに連接する側には形成されていない。これにより、領域Ｅ１及びＥ２においては、発光体ｅ１及びｅ２からの光が混ざって、これらの領域の境界を見え難くすることができる。
【００７０】
セグメント枠６４は、発光体基板５４に固定されていることにより、発光体基板５４に搭載（固定）された発光体ｄ２、ｅ１との位置関係も固定されている。これにより、図３及び図４について上述したように、発光体基板５４を移動させた場合においても、発光体ｄ２、ｅ１とセグメント枠６４との位置関係は変わらないままの状態を維持するようになされている。
【００７１】
セグメント枠６４には、枠部６４Ａ、６４ＡＢに囲まれた領域において、発光体ｄ２が設けられている部分を避けて、その底部に底板６４Ｚ１が形成されている。この底板６４Ｚ１を含めて、枠部６４Ａ、６４ＡＢは白色に着色されていることにより、発光体ｄ２からの光をこれら枠部６４Ａ、６４ＡＢ及び底板６４Ｚ１において反射して、マスク部材２４の透光部３４Ｄを介して効率良く前面側へ透過させることができる。
【００７２】
また、セグメント枠６４には、枠部６４Ｂ、６４ＡＢに囲まれた領域において、発光体ｅ１が設けられている部分を避けて、その底部に底板６４Ｚ２が形成されている。この底板６４Ｚ２を含めて、枠部６４Ｂ、６４ＡＢは白色に着色されていることにより、発光体ｅ１からの光をこれら枠部６４Ｂ、６４ＡＢ及び底板６４Ｚ２において反射して、マスク部材２４の透光部３４Ｅを介して効率良く前面側へ透過させることができる。
【００７３】
このように、表示セグメント１４においては、各発光体ｄ２、ｅ１からの光を、各々に対応する透過部３４Ｄ、３４Ｅを介して効率良く前面側へ透過させるようになされている。
【００７４】
また、表示セグメント１５（図２〜図４）を構成するセグメント枠６５においては、発光体ｅ２（図３、図４）の周囲を取り囲む枠部６５Ａ、６５ＡＢ、６５ＡＤを有している。この枠部６５Ａ、６５ＡＢ、６５ＡＤの配置形状は、マスク部材２５（図２）に形成された透光部３５Ｅの形状に合わせた配置形状となっている。すなわち、表示セグメント１５に割り当てられた領域Ｅ２（図２）に合わせた配置形状となっている。但し、マスク部材２４（図２）に形成された透光部３４Ｅに連接する側には形成されていない。これにより、領域Ｅ１及びＥ２においては、発光体ｅ１及びｅ２からの光が混ざって、これらの領域の境界を見え難くすることができる。
【００７５】
また、このセグメント枠６５においては、発光体ｇ１（図３、図４）の周囲を取り囲む枠部６５Ｂ、６５ＡＢ、６５ＢＣを有している。この枠部６５Ｂ、６５ＡＢ、６５ＢＣの配置形状は、マスク部材２５（図２）に形成された透光部３５Ｇの形状に合わせた配置形状となっている。すなわち、表示セグメント１５に割り当てられた領域Ｇ１（図２）に合わせた配置形状となっている。但し、マスク部材２２（図２）に形成された透光部３２Ｇに連接する側には形成されていない。これにより、領域Ｇ１及びＧ２においては、発光体ｇ１及びｇ２からの光が混ざって、これらの領域の境界を見え難くすることができる。
【００７６】
また、このセグメント枠６５においては、発光体ｆ１（図３、図４）の周囲を取り囲む枠部６５Ｃ、６５ＢＣ、６５ＡＤを有している。この枠部６５Ｃ、６５ＢＣ、６５ＡＤの配置形状は、マスク部材２５（図２）に形成された透光部３５Ｆの形状に合わせた配置形状となっている。すなわち、表示セグメント１５に割り当てられた領域Ｆ１（図２）に合わせた配置形状となっている。但し、マスク部材２６（図２）に形成された透光部３６Ｆに連接する側には形成されていない。これにより、領域Ｆ１及びＦ２においては、発光体ｆ１及びｆ２からの光が混ざって、これらの領域の境界を見え難くすることができる。
【００７７】
セグメント枠６５は、発光体基板５５に固定されていることにより、発光体基板５５に搭載（固定）された発光体ｅ２、ｇ１、ｆ１との位置関係も固定されている。これにより、図３及び図４について上述したように、発光体基板５５を移動させた場合においても、発光体ｅ２、ｇ１、ｆ１とセグメント枠６５との位置関係は変わらないままの状態を維持するようになされている。
【００７８】
セグメント枠６５には、枠部６５Ａ、６５ＡＢ、６５ＡＤに囲まれた領域において、発光体ｅ２が設けられている部分を避けて、その底部に底板６５Ｚ１が形成されている。この底板６５Ｚ１を含めて、枠部６５Ａ、６５ＡＢ、６５ＡＤは白色に着色されていることにより、発光体ｅ２からの光をこれら枠部６５Ａ、６５ＡＢ、６５ＡＤ及び底板６５Ｚ１において反射して、マスク部材２５の透光部３５Ｅを介して効率良く前面側へ透過させることができる。
【００７９】
また、セグメント枠６５には、枠部６５Ｂ、６５ＡＢ、６５ＢＣに囲まれた領域において、発光体ｇ１が設けられている部分を避けて、その底部に底板６５Ｚ２が形成されている。この底板６５Ｚ２を含めて、枠部６５Ｂ、６５ＡＢ、６５ＢＣは白色に着色されていることにより、発光体ｇ１からの光をこれら枠部６５Ｂ、６５ＡＢ、６５ＢＣ及び底板６５Ｚ２において反射して、マスク部材２５の透光部３５Ｇを介して効率良く前面側へ透過させることができる。
【００８０】
また、セグメント枠６５には、枠部６５Ｃ、６５ＢＣ、６５ＡＤに囲まれた領域において、発光体ｆ１が設けられている部分を避けて、その底部に底板６５Ｚ３が形成されている。この底板６５Ｚ３を含めて、枠部６５Ｃ、６５ＢＣ、６５ＡＤは白色に着色されていることにより、発光体ｆ１からの光をこれら枠部６５Ｃ、６５ＢＣ、６５ＡＤ及び底板６５Ｚ３において反射して、マスク部材２５の透光部３５Ｆを介して効率良く前面側へ透過させることができる。
【００８１】
このように、表示セグメント１５においては、各発光体ｅ２、ｇ１、ｆ１からの光を、各々に対応する透過部３５Ｅ、３５Ｇ、３５Ｆを介して効率良く前面側へ透過させるようになされている。
【００８２】
また、表示セグメント１６（図２〜図４）を構成するセグメント枠６６においては、発光体ｆ２（図３、図４）の周囲を取り囲む枠部６６Ａ、６６ＡＢを有している。この枠部６６Ａ、６６ＡＢの配置形状は、マスク部材２６（図２）に形成された透光部３６Ｆの形状に合わせた配置形状となっている。すなわち、表示セグメント１６に割り当てられた領域Ｆ２（図２）に合わせた配置形状となっている。但し、マスク部材２５（図２）に形成された透光部３５Ｆに連接する側には形成されていない。これにより、領域Ｆ１及びＦ２においては、発光体ｆ１及びｆ２からの光が混ざって、これらの領域の境界を見え難くすることができる。
【００８３】
また、このセグメント枠６６においては、発光体ａ１（図３、図４）の周囲を取り囲む枠部６６Ｂ、６６ＡＢを有している。この枠部６６Ｂ、６６ＡＢの配置形状は、マスク部材２６（図２）に形成された透光部３６Ａの形状に合わせた配置形状となっている。すなわち、表示セグメント１６に割り当てられた領域Ａ１（図２）に合わせた配置形状となっている。但し、マスク部材２１（図２）に形成された透光部３１Ａに連接する側には形成されていない。これにより、領域Ａ１及びＡ２においては、発光体ａ１及びａ２からの光が混ざって、これらの領域の境界を見え難くすることができる。
【００８４】
セグメント枠６６は、発光体基板５６に固定されていることにより、発光体基板５６に搭載（固定）された発光体ｆ２、ａ１との位置関係も固定されている。これにより、図３及び図４について上述したように、発光体基板５６を移動させた場合においても、発光体ｆ２、ａ１とセグメント枠６６との位置関係は変わらないままの状態を維持するようになされている。
【００８５】
セグメント枠６６には、枠部６６Ａ、６６ＡＢに囲まれた領域において、発光体ｆ２が設けられている部分を避けて、その底部に底板６６Ｚ１が形成されている。この底板６６Ｚ１を含めて、枠部６６Ａ、６６ＡＢは白色に着色されていることにより、発光体ｆ２からの光をこれら枠部６６Ａ、６６ＡＢ及び底板６６Ｚ１において反射して、マスク部材２６の透光部３６Ｆを介して効率良く前面側へ透過させることができる。
【００８６】
また、セグメント枠６６には、枠部６６Ｂ、６６ＡＢに囲まれた領域において、発光体ａ１が設けられている部分を避けて、その底部に底板６６Ｚ２が形成されている。この底板６６Ｚ２を含めて、枠部６６Ｂ、６６ＡＢは白色に着色されていることにより、発光体ａ１からの光をこれら枠部６６Ｂ、６６ＡＢ及び底板６６Ｚ２において反射して、マスク部材２６の透光部３６Ａを介して効率良く前面側へ透過させることができる。
【００８７】
このように、表示セグメント１６においては、各発光体ｆ２、ａ１からの光を、各々に対応する透過部３６Ｆ、３６Ａを介して効率良く前面側へ透過させるようになされている。
【００８８】
因みに、図６に示すように、マスク部材２１は、セグメント枠６１の接着領域６１Ｘに接着され、マスク部材２２は、セグメント枠６２の接着領域６２Ｘに接着されている。マスク部材２１〜２６の設置の順は、マスクシート２１、２５、２２、２６、２３及び２４の順にセグメント枠に設置される。
【００８９】
以上説明したように、各セグメント枠６１〜６６は、それぞれ発光体基板５１〜５６に搭載されて該発光体基板５１〜５６と一体に移動するようになされている。図１及び図２について上述したように、各表示セグメント１１〜１６は、互いの距離が接近、又は離間するように移動可能に構成されている（後述）。
【００９０】
すなわち、表示セグメント１１は、隣接する表示セグメント１６及び１２との間で、互いに近づく方向又は離間する方向に移動する。例えば、表示セグメント１１及び表示セグメント１２には、セグメント表示器１０によって表示される数字の領域Ｂ１及びＢ２がそれぞれ割り当てられており、この領域Ｂ１及びＢ２によって、数字の連続した一部が表されるようになされている。例えば、図７に示すように、数字「８」の右側上段の縦画Ｎ１を表現するようになされており、表示セグメント１１及び１２を互いに離間する方向に移動させることにより、この縦画Ｎ１をその長手方向の寸法（縦方向の寸法）が長くなるように変化させることができ、また、表示セグメント１１及び１２を互いに近づく方向に移動させることにより、縦画Ｎ１をその長手方向の寸法（縦方向の寸法）が短くなるように変化させることができる。
【００９１】
この場合、表示セグメント１１のマスク部材２１に設けられた透光部３１Ｂによって形成される領域Ｂ１と、表示セグメント１２のマスク部材２２に設けられた透光部３２Ｂによって形成される領域Ｂ２とによって、数字「８」の縦画Ｎ１が表現されるようになされており、表示セグメント１１及び１２を互いに近づける場合には、透光部３１Ｂ及び３２Ｂの一部が重なるように構成されている。この場合、セグメント枠６１の枠部６１Ｂ及び６１ＡＢ（図４）によって囲まれる領域と、セグメント枠６２の枠部６２Ａ、６２ＡＢ及び６２ＡＤ（図４）によって囲まれる領域とが重なることとなる（図３）。
【００９２】
これに対して、表示セグメント１１及び１２を互いに離間する方向に移動させる場合には、透光部３１Ｂ及び３２Ｂの重なる部分が少なくなる。この場合、セグメント枠６１の枠部６１Ｂ及び６１ＡＢ（図４）によって囲まれる領域に設けられた発光体ｂ１と、セグメント枠６２の枠部６２Ａ、６２ＡＢ及び６２ＡＤ（図４）によって囲まれる領域に設けられた発光体ｂ２との距離が離れることになる。
【００９３】
このように、同一の縦画Ｎ１に割り当てられた２つの発光体ｂ１及びｂ２の間隔が拡がる場合においても、表示セグメント１１に設けられたセグメント枠６１の枠部６１Ｂ、６１ＡＢと、表示セグメント１２に設けられたセグメント枠６２の枠部６２Ａ、６２ＡＢ、６２ＡＤとによって、発光体ｂ１及びｂ２からの光を効率良く取り出すことができ、縦画Ｎ１全体に亘って十分な光量でこれを表示することができる。
【００９４】
また、本実施の形態の場合、これに加えて、セグメント枠６１及び６２には、拡散板が設けられており、この拡散板によって発光体ｂ１及びｂ２からの光を拡散させることで、縦画Ｎ１の全体に亘って光を均一化することができる。すなわち、図６に示すように、セグメント枠６１の枠部６１Ｂ、６１ＡＢによって囲まれた領域には、発光体ｂ１と間隙を隔てて拡散板７１Ｂがセグメント枠６１に固定されており、発光体ｂ１からの光を拡散するようになされている。また、セグメント枠６２の枠部６２Ａ、６２ＡＢ、６２ＡＤによって囲まれた領域には、発光体ｂ２と間隙を隔てて拡散板７２Ｂがセグメント枠６２に固定されており、発光体ｂ２からの光を拡散するようになされている。
【００９５】
このように、同一の縦画Ｎ１を表現するための発光体ｂ１上の空間及び発光体ｂ２上の空間とに、各々拡散板７１Ｂ及び７２Ｂを設けることにより、これら２つの空間において発光体ｂ１及びｂ２からの光が拡散されて均一化される。これにより、表示セグメント１１及び１２を互いに離間する方向に移動させて、縦画Ｎ１を長く表示する場合において、発光体ｂ１及びｂ２が離間することによる光量の偏りを防止することができる。
【００９６】
以上は、発光体ｂ１及びｂ２について述べたが、その他の発光体ａ１、ａ２、ｃ１〜ｇ２についても、同様にして拡散板が設けられており、これらの発光体からの光を拡散させるようになされている。
【００９７】
なお、拡散板としては、例えば透光性のある板材の表面を砂状にしたもの等を用いることができる。
【００９８】
かくして、表示セグメント１１の発光体ｂ１及び表示セグメント１２の発光体ｂ２によって、図７に示す数字「８」の縦画Ｎ１が表示され、表示セグメント１２の発光体ｃ１及び表示セグメント１３の発光体ｃ２によって、図７に示す数字「８」の縦画Ｎ２が表示され、表示セグメント１３の発光体ｄ１及び表示セグメント１４の発光体ｄ２によって、図７に示す数字「８」の横画Ｎ３が表示され、表示セグメント１４の発光体ｅ１及び表示セグメント１５の発光体ｅ２によって、図７に示す数字「８」の縦画Ｎ４が表示され、表示セグメント１５の発光体ｇ１及び表示セグメント１２の発光体ｇ２によって、図７に示す数字「８」の横画Ｎ５が表示され、表示セグメント１５の発光体ｆ１及び表示セグメント１６の発光体ｆ２によって、図７に示す数字「８」の縦画Ｎ６が表示され、表示セグメント１６の発光体ａ１及び表示セグメント１１の発光体ａ２によって、図７に示す数字「８」の横画Ｎ７が表示される。
【００９９】
これらの横画及び縦画Ｎ１〜Ｎ７は、表示セグメント１１〜１６の移動によって、各々が長く変形し、又は短く変形することになる。
【０１００】
次に、各表示セグメント１１〜１６を移動するための構成について説明する。図５に示すように、セグメント枠６１〜６６は、発光体基板５１〜５６に固定されており、この発光体基板５１〜５６は、所定の駆動機構によって移動制御されるように構成されている。
【０１０１】
すなわち、発光体基板５１は、移動ベース部材１１１に取付けボスを介して取り付けられており、発光体基板５３は、移動ベース部材１１３に取付けボスを介して取り付けられており、発光体基板５４は、移動ベース部材１１４に取付けボスを介して取り付けられており、発光体基板５６は、移動ベース部材１１６に取付けボスを介して取り付けられている。
【０１０２】
移動ベース部材１１１、１１３、１１４及び１１６は、表示セグメント１１〜１６を移動させるための移動機構部を構成する部材である。図８及び図９は、表示セグメントの移動機構部１００を示す正面図である。また、図１０は、セグメント枠６１〜６６を搭載した移動機構部１００の背面側を示す斜視図である。図８は、表示セグメント１１〜１６を近づけるように移動させた状態（図３）を示す図であり、図９は、表示セグメント１１〜１６を遠ざけるように移動させた状態（図４）を示す図である。
【０１０３】
図８〜図１０に示すように、移動機構部１００は、ベース部材１０１と、このベース部材１０１の主面に設けられた直線状のガイド突起部１０２Ａ〜１０２Ｄにガイドされて上下方向（矢印ｙ方向）に移動可能に支持された上下動リンク部材１４１及び１４２と、ベース部材１０１に形成されたガイド孔１０１Ａ〜１０１Ｈにガイドされて左右方向（矢印ｘ方向）に移動可能に支持された左右動ベース部材１２１及び１２２と、この左右動ベース部材１２１及び１２２に形成されたガイド孔１２１Ｅ〜１２１Ｌ及び１２２Ｅ〜１２２Ｌにガイドされて上下方向に移動可能に支持された移動ベース部材１１１、１１３、１１４及び１１６と、駆動原であるステッピングモータ１３０とを備えている。
【０１０４】
すなわち、ベース部材１０１の主面には、上下方向（矢印ｙ方向）に延設された直線状のガイド突起部１０２Ａ及び１０２Ｄが設けられており、上下動リンク部材１４１は、その両端部においてこのガイド突起部１０２Ａ及び１０２Ｄに係合され、上下方向（矢印ｙ方向）に摺動可能となっている。また、上下動リンク部材１４２は、その両端部においてガイド突起部１０２Ｂ及び１０２Ｃに係合され、上下方向（矢印ｙ方向）に摺動可能となっている。
【０１０５】
上下動リンク部材１４１及び１４２には、ラック１４１Ｙ及び１４２Ｙが設けられており、ステッピングモータ１３０の出力軸に嵌合されたピニオンギア１３０Ａに歯合されている。これにより、ステッピングモータ１３０を駆動することによって、ピニオンギア１３０Ａ及びラック１４１Ｙを介して、上下動リンク部材１４１を上下方向（矢印ｙ方向）に移動させることができ、また、ピニオンギア１３０Ａ及びラック１４２Ｙを介して、上下動リンク部材１４２を上下方向（矢印ｙ方向）に移動させることができる。
【０１０６】
また、ベース部材１０１には、左右方向（矢印ｘ方向）に延長されたガイド孔１０１Ａ〜１０１Ｈが形成されている。ガイド孔１０１Ａ〜１０１Ｄには、左右動ベース部材１２１の背面側に固定されたガイドボス１２１Ａ〜１２１Ｄが係合され、これにより、左右動ベース部材１２１は、ガイド孔１０１Ａ〜１０１Ｄにガイドされて左右方向（矢印ｘ方向）に移動可能となっている。また、ガイド孔１０１Ｅ〜１０１Ｈには、左右動ベース部材１２２の背面側に固定されたガイドボス１２２Ａ〜１２２Ｄが係合され、これにより、左右動ベース部材１２２は、ガイド孔１０１Ｅ〜１０１Ｈにガイドされて左右方向（矢印ｘ方向）に移動可能となっている。
【０１０７】
左右動ベース部材１２１及び１２２には、ラック１２１Ｘ及び１２２Ｘが設けられており、ステッピングモータ１３０の出力軸に嵌合されたピニオンギア１３０Ａに歯合されている。これにより、ステッピングモータ１３０を駆動することによって、ピニオンギア１３０Ａ及びラック１２１Ｘを介して、左右動ベース部材１２１を左右方向（矢印ｘ方向）に移動させることができ、また、ピニオンギア１３０Ａ及びラック１２２Ｘを介して、左右動ベース部材１２２を左右方向（矢印ｘ方向）に移動させることができる。
【０１０８】
左右動ベース部材１２１には、上下方向（矢印ｙ方向）に延長されたガイド孔１２１Ｅ〜１２１Ｌが形成されている。ガイド孔１２１Ｅ〜１２１Ｈには、移動ベース部材１１１の背面側に固定されたガイドボス１１１Ｅ〜１１１Ｈが係合され、これにより移動ベース部材１１１は、ガイド孔１２１Ｅ〜１２１Ｈにガイドされて上下方向（矢印ｙ方向）に移動可能となっている。また、ガイド１２１Ｉ〜１２１Ｌには、移動ベース部材１１３の背面側に固定されたガイドボス１１３Ｅ〜１１３Ｈが係合され、これにより移動ベース部材１１３は、ガイド孔１２１Ｉ〜１２１Ｉにガイドされて上下方向（矢印ｙ方向）に移動可能となっている。
【０１０９】
また、左右動ベース部材１２２には、上下方向（矢印ｙ方向）に延長されたガイド孔１２２Ｅ〜１２２Ｌが形成されている。ガイド孔１２２Ｅ〜１２２Ｈには、移動ベース部材１１６の背面側に固定されたガイドボス１１６Ｅ〜１１６Ｈが係合され、これにより移動ベース部材１１６は、ガイド孔１２２Ｅ〜１２２Ｈにガイドされて上下方向（矢印ｙ方向）に移動可能となっている。また、ガイド１２２Ｉ〜１２２Ｌには、移動ベース部材１１４の背面側に固定されたガイドボス１１４Ｅ〜１１４Ｈが係合され、これにより移動ベース部材１１４は、ガイド孔１２２Ｉ〜１２２Ｌにガイドされて上下方向（矢印ｙ方向）に移動可能となっている。
【０１１０】
また、上下動リンク部材１４１には、左右方向（矢印ｘ方向）に延長されたガイド孔１４１Ａ〜１４１Ｄが形成されている。ガイド孔１４１Ａ及び１４１Ｂには、移動ベース部材１１１の背面側に固定されたガイドボス１１１Ｆ及び１１１Ｇが、左右動ベース部材１２１のガイド孔１２１Ｆ及び１２１Ｇを介して係合されている。これにより、移動ベース部材１１１は、ガイド孔１４１Ａ及び１４１Ｂにガイドされて左右方向（矢印ｘ方向）に移動可能となっていると共に、該ガイド孔１４１Ａ及び１４１Ｂによって、上下方向（矢印ｙ方向）への移動が規制されている。すなわち、移動ベース部材１１１は、上下動リンク部材１４１の上下動に伴って上下動するようになされている。
【０１１１】
ここで、移動ベース部材１１１のガイドボス１１１Ｆ及び１１１Ｇは、左右動ベース部材１２１の上下方向に延長されたガイド孔１２１Ｆ及び１２１Ｇに係合されていることにより、移動ベース部材１１１は、ガイド孔１２１Ｆ及び１２１Ｇによって左右方向への移動が規制されている。すなわち、移動ベース部材１１１は、左右動ベース部材１２１の左右方向への移動に伴って左右方向へ移動するようになされている。
【０１１２】
また、ガイド孔１４１Ｃ及び１４１Ｄには、移動ベース部材１１６の背面側に固定されたガイドボス１１６Ｆ及び１１６Ｇが、左右動ベース部材１２２のガイド孔１２２Ｆ及び１２２Ｇを介して係合されている。これにより、移動ベース部材１１１は、ガイド孔１４１Ｃ及び１４１Ｄにガイドされて左右方向（矢印ｘ方向）に移動可能となっていると共に、該ガイド孔１４１Ｃ及び１４１Ｄによって、上下方向（矢印ｙ方向）への移動が規制されている。すなわち、移動ベース部材１１６は、上下動リンク部材１４１の上下動に伴って上下動するようになされている。
【０１１３】
ここで、移動ベース部材１１６のガイドボス１１６Ｆ及び１１６Ｇは、左右動ベース部材１２２の上下方向に延長されたガイド孔１２２Ｆ及び１２２Ｇに係合されていることにより、移動ベース部材１１６は、ガイド孔１２２Ｆ及び１２２Ｇによって左右方向への移動が規制されている。すなわち、移動ベース部材１１６は、左右動ベース部材１２２の左右方向への移動に伴って左右方向へ移動するようになされている。
【０１１４】
また、上下動リンク部材１４２には、左右方向（矢印ｘ方向）に延長されたガイド孔１４２Ａ〜１４２Ｄが形成されている。ガイド孔１４２Ａ及び１４２Ｂには、移動ベース部材１１３の背面側に固定されたガイドボス１１３Ｅ及び１１３Ｈが、左右動ベース部材１２１のガイド孔１２１Ｉ及び１２１Ｌを介して係合されている。これにより、移動ベース部材１１３は、ガイド孔１４２Ａ及び１４２Ｂにガイドされて左右方向（矢印ｘ方向）に移動可能となっていると共に、該ガイド孔１４２Ａ及び１４２Ｂによって、上下方向（矢印ｙ方向）への移動が規制されている。すなわち、移動ベース部材１１３は、上下動リンク部材１４２の上下動に伴って上下動するようになされている。
【０１１５】
また、ガイド孔１４２Ｃ及び１４２Ｄには、移動ベース部材１１４の背面側に固定されたガイドボス１１４Ｅ及び１１４Ｈが、左右動ベース部材１２２のガイド孔１２２Ｉ及び１２２Ｌを介して係合されている。これにより、移動ベース部材１１４は、ガイド孔１４２Ｃ及び１４２Ｄにガイドされて左右方向（矢印ｘ方向）に移動可能となっていると共に、該ガイド孔１４２Ｃ及び１４２Ｄによって、上下方向（矢印ｙ方向）への移動が規制されている。すなわち、移動ベース部材１１４は、上下動リンク部材１４２の上下動に伴って上下動するようになされている。
【０１１６】
かくして、ステッピングモータ１３０を駆動することにより、左右動ベース部材１２１及び１２２が左右に移動し、この移動に伴って移動ベース部材１１１、１１３、１１４及び１１６が左右方向に移動する。また、これと同時に、ステッピングモータ１３０の駆動によって、上下動リンク部材１４１及び１４２が上下動し、これに伴って、移動ベース部材１１１、１１３、１１４及び１１６が上下動する。すなわち、ステッピングモータ１３０を駆動することによって、移動ベース部材１１１、１１３、１１４及び１１６を上下左右に移動させることができる。図８は、移動ベース部材１１１、１１３、１１４及び１１６が互いに接近した状態を示し、図９は、移動ベース部材１１１、１１３、１１４及び１１６が互いに離間した状態を示す。ステッピングモータ１３０の駆動によって、移動ベース部材１１１、１１３、１１４及び１１６を、図８に示す接近状態又は図９に示す離間状態とすることができる。
【０１１７】
図１１及び図１２は、図８及び図９に示した移動機構部１００を示す側面図である。図１１は、移動ベース部材１１１、１１３、１１４及び１１６を接近させた状態（図８）を示し、図１２は、移動ベース部材１１１、１１３、１１４及び１１６を離間させた状態（図９）を示す。
【０１１８】
図８〜図１２に示すように、移動ベース部材１１１には、取付けボス１１１Ａ、１１１Ｂ、１１１Ｃ及び１１１Ｄが固定されており、この取付けボス１１１Ａ〜１１１Ｄを介して発光体基板５１（図３、図４）が取り付けられている。
【０１１９】
上下動ベース１１３には、取付けボス１１３Ａ、１１３Ｂ、１１３Ｃ及び１１３Ｄが固定されており、この取付けボス１１３Ａ〜１１３Ｄを介して発光体基板５３（図３、図４）が取り付けられている。
【０１２０】
上下動ベース１１４には、取付けボス１１４Ａ、１１４Ｂ、１１４Ｃ及び１１４Ｄが固定されており、この取付けボス１１４Ａ〜１１４Ｄを介して発光体基板５４（図３、図４）が取り付けられている。
【０１２１】
上下動ベース１１６には、取付けボス１１６Ａ、１１６Ｂ、１１６Ｃ及び１１６Ｄが固定されており、この取付けボス１１６Ａ〜１１６Ｄを介して発光体基板５６（図３、図４）が取り付けられている。
【０１２２】
これにより、図１３及び図１４に示すように、発光体基板５１、５３、５４及び５６は、移動ベース部材１１１、１１３、１１４及び１１６の移動に伴って、上下左右に移動可能に支持されている。
【０１２３】
また、左右動ベース部材１２１には、取付けボス１１２Ａ及び１１２Ｂが固定されており、この取付けボス１１２Ａ及び１１２Ｂを介して発光体基板５２が取り付けられている。左右動ベース部材１２２には、取付けボス１１５Ａ及び１１５Ｂが固定されており、この取付けボス１１５Ａ及び１１５Ｂを介して発光体基板５５が取り付けられている。
【０１２４】
すなわち、発光体基盤５２及び５５は、左右動ベース部材１２１及び１２２の左右動に伴って左右方向に移動可能に支持されている。
【０１２５】
かくして、図１３及び図１４に示したように、ステッピングモータ１３０を駆動することにより、発光体基板５１〜５６（表示セグメント１１〜１６）を接近した状態（図１３）又は離間した状態（図１４）に移動させることができる。
【０１２６】
移動機構部１００においては、可動範囲センサ１６０が設けられており、表示セグメント１１〜１６（発光体基板５１〜５６）の離間状態を検出する。可動範囲センサ１６０としては、発光部１６１及び受光部１６２を有するフォトインタラプタ等を用いることができる。左右動ベース部材１２１の背面側には、該左右動ベース部材１２１に取り付けられたガイドボス１２１Ｂに遮光板１６３が固定されており、左右動ベース部材１２１と一体となって左右方向へ移動するようになされている。
【０１２７】
可動範囲センサ１６０においては、左右動ベース部材１２１が離間状態となった場合に、発光部１６１と受光部１６２との間に遮光板１６３が介挿されるように構成されており、発光部１６１において発光された光を受光部１６２で受光しない場合には、各表示セグメント１１〜１６が離間状態となっているものと判断することができる。
【０１２８】
次に、発光体ａ１〜ｇ２について説明する。本実施の形態の場合、発光体ａ１〜ｇ２として、フルカラー発光ダイオード（ＬＥＤ：light-emitting diode）を用いる。図７に示したように、数字「８」を表す縦画Ｎ１について上半分の領域Ｂ１（図２）発光体（フルカラーＬＥＤ）ｂ１が割り当てられ、下半分の領域Ｂ２（図２）に発光体（フルカラーＬＥＤ）ｂ２が割り当てられている。すなわち、縦画Ｎ１には、２つの発光体（フルカラーＬＥＤ）ｂ１及びｂ２が割り当てられている。
【０１２９】
また、数字「８」を表す縦画Ｎ２について上半分の領域Ｃ１（図２）に発光体（フルカラーＬＥＤ）ｃ１が割り当てられ、下半分の領域Ｃ２（図２）に発光体（フルカラーＬＥＤ）ｃ２が割り当てられている。すなわち、縦画Ｎ２には、２つの発光体（フルカラーＬＥＤ）ｃ１及びｃ２が割り当てられている。
【０１３０】
また、数字「８」を表す横画Ｎ３について右半分の領域Ｄ１（図２）に発光体（フルカラーＬＥＤ）ｄ１が割り当てられ、左半分の領域Ｄ２（図２）に発光体（フルカラーＬＥＤ）ｄ２が割り当てられている。すなわち、縦画Ｎ３には、２つの発光体（フルカラーＬＥＤ）ｄ１及びｄ２が割り当てられている。
【０１３１】
また、数字「８」を表す縦画Ｎ４について下半分の領域Ｅ１（図２）に発光体（フルカラーＬＥＤ）ｅ１が割り当てられ、上半分の領域Ｅ２（図２）に発光体（フルカラーＬＥＤ）ｅ２が割り当てられている。すなわち、縦画Ｎ４には、２つの発光体（フルカラーＬＥＤ）ｅ１及びｅ２が割り当てられている。
【０１３２】
また、数字「８」を表す横画Ｎ５について左半分の領域Ｇ１（図２）に発光体（フルカラーＬＥＤ）ｇ１が割り当てられ、右半分の領域Ｇ２（図２）に発光体（フルカラーＬＥＤ）ｇ２が割り当てられている。すなわち、縦画Ｎ５には、２つの発光体（フルカラーＬＥＤ）ｇ１及びｇ２が割り当てられている。
【０１３３】
また、数字「８」を表す縦画Ｎ６について下半分の領域Ｆ１（図２）に発光体（フルカラーＬＥＤ）ｆ１が割り当てられ、上半分の領域Ｆ２（図２）に発光体（フルカラーＬＥＤ）ｆ２が割り当てられている。すなわち、縦画Ｎ６には、２つの発光体（フルカラーＬＥＤ）ｆ１及びｆ２が割り当てられている。
【０１３４】
また、数字「８」を表す横画Ｎ７について左半分の領域Ａ１（図２）に発光体（フルカラーＬＥＤ）ａ１が割り当てられ、右半分の領域Ａ２（図２）に発光体（フルカラーＬＥＤ）ａ２が割り当てられている。すなわち、縦画Ｎ７には、２つの発光体（フルカラーＬＥＤ）ａ１及びａ２が割り当てられている。
【０１３５】
フルカラーＬＥＤは、それぞれ３原色（Ｒ、Ｇ、Ｂ）の発光ダイオードを有している。図１５は、発光体基盤５１〜５６における発光体ａ１〜ｇ２の配置と、各発光体ａ１〜ｇ２を発光させるための端子番号を示す略線図である。図１５に示すように、発光体ａ１〜ｇ２は、フルカラーＬＥＤで構成されていることにより、緑色発光用の端子ａ１−Ｇ、ａ２−Ｇ、ｂ１−Ｇ、ｂ２−Ｇ、ｃ１−Ｇ、ｃ２−Ｇ、ｄ１−Ｇ、ｄ２−Ｇ、ｅ１−Ｇ、ｅ２−Ｇ、ｆ１−Ｇ、ｆ２−Ｇ、ｇ１−Ｇ、ｇ２−Ｇと、赤色発光用の端子ａ１−Ｒ、ａ２−Ｒ、ｂ１−Ｒ、ｂ２−Ｒ、ｃ１−Ｒ、ｃ２−Ｒ、ｄ１−Ｒ、ｄ２−Ｒ、ｅ１−Ｒ、ｅ２−Ｒ、ｆ１−Ｒ、ｆ２−Ｒ、ｇ１−Ｒ、ｇ２−Ｒと、青色発光用の端子ａ１−Ｂ、ａ２−Ｂ、ｂ１−Ｂ、ｂ２−Ｂ、ｃ１−Ｂ、ｃ２−Ｂ、ｄ１−Ｂ、ｄ２−Ｂ、ｅ１−Ｂ、ｅ２−Ｂ、ｆ１−Ｂ、ｆ２−Ｂ、ｇ１−Ｂ、ｇ２−Ｂとを有している。
【０１３６】
これら各色の端子に駆動電圧を加えることにより、当該端子によって駆動される色の発光ダイオードが発光する。
【０１３７】
なお、本実施の形態においては、発光体としてフルカラーＬＥＤを用いる場合について説明するが、これに限られるものではなく、単色のものを用いてもよく、また、ＬＥＤに限られず他の種々の発光体を用いることができる。
【０１３８】
（セグメント表示器の動作及び効果）
以上説明したセグメント表示器１０は、ステッピングモータ１３０を駆動して表示セグメント１１〜１６を互いに接近する方向又は離間する方向に移動させることができるので、例えば、図１６に示すように、全ての発光体ａ１〜ｇ２（図３、図４）を発光させて数字「８」を表示した状態において、各表示セグメント１１〜１６を互いに接近させた状態（図１６（ａ））から、各表示セグメント１１〜１６を互いに離間させた状態（図１６（ｂ））に変化させることができ、またステッピングモータ１３０を逆回転させることで、各表示セグメント１１〜１６を互いに離間させた状態（図１６（ｂ））から、各表示セグメント１１〜１６を互いに接近させた状態（図１６（ａ））に変化させることができる。この変化は、表示セグメント自体が移動するというこれまでにない変化の態様であり、遊技者に対して印象的な演出を行うことができる。
【０１３９】
また、表示セグメント１１〜１６の移動により、数字の縦画Ｎ１、Ｎ２、Ｎ４、Ｎ６及び横画Ｎ３、Ｎ５、Ｎ７自体の長さが長くなるように表示され、その結果として、表示される数字の大きさが変化する。このような大きさを変化させる演出により、遊技者に対して印象的な演出を提供することが可能となる。
【０１４０】
また、ステッピングモータ１３０の回転角度を制御することで、表示される数字の大きさを任意に設定することができ、演出に多様性を持たせることができる。
【０１４１】
さらに、表示セグメント１１〜１６を構成する発光体ａ１〜ｇ２に対する駆動電圧の供給を制御することにより、発光体ａ１〜ｇ２を選択的に発光させることができ、これにより、例えば、図１７（ａ）、（ｂ）に示すように、縦画Ｎ１、Ｎ２、Ｎ４、Ｎ６及び横画Ｎ３、Ｎ５、Ｎ７のいずれかを選択的に表示させることができる。図１７（ａ）、（ｂ）は、発光体ａ１、ａ２、ｂ１、ｂ２、ｃ１、ｃ２、を発光させることによって、数字「７」を表示する例である。
【０１４２】
かくして、本実施の形態のセグメント表示器１０は、表示セグメント１１〜１６の移動によって、表示される数字の大きさを変化させることができ、これにより所望の数字を所望の大きさで表示することができる。
【０１４３】
（パチンコ遊技機）
以上説明したセグメント表示器１０を搭載したパチンコ遊技機について説明する。図１８は、パチンコ遊技機３００の外観を示す正面図であり、図１９は、パチンコ遊技機３００の遊技盤を示す正面図である。
【０１４４】
図１８及び図１９に示すように、パチンコ遊技機３００は、本体３１７にフロントドア３１６が開閉可能に支持されており、本体３１７の内部には、遊技盤３１９が設けられている。フロントドア３１６の下方には、遊技球を遊技盤３１９に発射するための発射ハンドル３３１が設けられている。フロントドア３１６の裏面側には、発射ハンドル３３１の操作結果に応じて、遊技球を遊技盤に発射する発射装置４３５が設けられている。
【０１４５】
フロントドア３１６の前面部には、上皿３２５及び下皿３２７が設けられている。上皿３２５及び下皿３２７には、遊技球（賞球）の払出しを行うための払出口３２５Ａ、３２７Ａが設けられており、所定の払出条件が成立した場合には、遊技球が排出される。上皿３２５には、発射装置４３５によって遊技領域３２０に発射させるための遊技球が貯留される。
【０１４６】
上皿３２５から発射装置４３５による発射位置に供給された遊技球は、発射装置４３５により遊技盤３１９へ発射される。遊技球が発射されると、上皿３２５に貯留された遊技球は、順次、発射装置４３５の発射位置まで移動する。これにより、上皿３２５に貯留された遊技球は、発射装置４３５により順次遊技盤３１９へ発射されることになる。
【０１４７】
因みに、発射ハンドル３３１が遊技者によって握持され、かつ、時計回り方向へ回動操作されたときには、その回動角度に応じた電力が発射装置４３５の発射モータに供給され、これにより、上皿３２５に貯留された遊技球は、遊技者の操作量に応じた強さで遊技盤３１９に順次発射される。
【０１４８】
フロントドア３１６が閉じられた状態において、遊技盤３１９は、フロントドア３１６に設けられた保護ガラスの後方に位置するように設けられている。遊技盤３１９においては、遊技球が転動可能な遊技領域３２０を有している。遊技領域３２０の周囲には、発射装置４３５により発射された遊技球をガイドするガイドレール３３５が設けられている。これにより、発射装置４３５によって発射された遊技球は、ガイドレール３３５にガイドされて遊技盤３１９の上部に打ち出され、その後、遊技領域３２０に設けられた複数の障害釘との衝突によりその進行方向を変えながら遊技領域３２０の下方に向かって落下する。
【０１４９】
遊技盤３１９の前面には、第１始動口３３０を構成する普通電動役物３５３、第２始動口３４９を形成する始動ゲート３５０、シャッタ３４５等が設けられている。この第１始動口３３０又は第２始動口３４９に遊技球が入賞したことを条件として、特別図柄の可変表示が行われる。また、この特別図柄の可変表示の結果に応じて、通常の遊技状態よりも遊技者に有利な大当たり遊技状態となる。この大当たり遊技状態となった場合には、シャッタ３４５が開放状態に制御され、大入賞口３４４に遊技球が受け入れ容易な開放状態となる。
【０１５０】
遊技盤３１９の略中央部分には、図１〜図１７について上述したセグメント表示器１０が３つ並設されており、この３つのセグメント表示器１０によって、３桁の数字を表示する図柄表示部４００が設けられている。ここでは、左側のセグメント表示器１０によって表示される左図柄（数字）４００Ｌと、中央のセグメント表示器１０によって表示される中図柄（数字）４００Ｃと、右側のセグメント表示器１０によって表示される右図柄（数字）４００Ｒとによって３桁の数字が表示される。この３つのセグメント表示器１０の表示については後述する。また、フロントドア３１６の上方には、スピーカ３５１Ｌ、３５１Ｒが設けられている。
【０１５１】
また、遊技盤３１９の左下部には、特別図柄表示部３４０が設けられている。この特別図柄表示部３４０は、特別図柄ゲームにおいて特別図柄の可変表示を行うものである。特別図柄とは、数字又は文字等であり、本実施の形態の場合、特別図柄表示部３４０によって２桁の特別図柄を表示するが、これに限られるものではない。
【０１５２】
特別図柄表示部３４０は、例えば７セグメント表示器によって、特別図柄を可変表示する。ここで、可変表示とは、例えば、数字又は文字等が順次切り換わりながら表示されることを意味しており、所定のタイミングでこれらの変動する図柄が停止表示されるようになされている。
【０１５３】
また、特別図柄表示部３４０において、特別図柄が特定の態様で停止表示された場合には、パチンコ遊技機３００における遊技状態が遊技者に有利な大当たり遊技状態に移行される。
【０１５４】
一方、上述した図柄表示部４００は、遊技に関する画像を表示するための３つのセグメント表示器１０を有している。本実施の形態の場合、この図柄表示部４００には、特別図柄ゲームにおける特別図柄の可変表示に伴って可変表示を行う図柄としての数字が所定の態様で表示されることとなる。所定の態様とは、各セグメント表示器１０において表示される数字が「０」〜「９」の間で変化する変動表示の態様と、いずれかの数字で停止する停止表示の態様と、図１６及び図１７に示したように、表示される数字の大きさが変化する表示の態様とを含む。
【０１５５】
特別図柄表示部３４０における特別図柄の可変表示の結果が特定の表示態様となる場合には、図柄表示部４００に導出表示された複数の数字の組み合わせが特定の組み合わせとなり、遊技状態を遊技者に有利な大当たり遊技状態に移行することとなる。
【０１５６】
また、遊技盤３１９の下方には、ランプユニット３５８が設けられている。ランプユニット３５８には、上述した特別図柄表示部３４０、普通図柄表示部３３８、特別図柄保留ランプ及び普通図柄保留ランプからなる保留ランプ群３５５、ラウンド数表示器３５６が設けられている。
【０１５７】
特別図柄表示部３４０においては、特別図柄の変動開始条件が成立すると、７セグメント表示器に例えば「０」から「９」までの１０個の数字が順次ランダムに変動表示される。特別図柄表示部３４０において特定の数字（「７７」等）が停止表示された場合は、これに応じて図柄表示部４００においても特定の態様で数字が停止表示され、通常遊技状態から遊技者に有利な状態である大当たり遊技状態（特別遊技状態）に遊技状態が移行する。この大当たり遊技状態となった場合には、後述するように、シャッタ３４５が開放状態に制御され、大入賞口３４４に遊技球が入り易い状態となる。一方、特別図柄として、特定の数字図柄以外の数字図柄が停止表示された場合は、通常遊技状態が維持される。パチンコ遊技機３００においては、このような特別図柄の変動表示から停止表示に応じた遊技状態の移行に係る特別図柄ゲームが実行される。
【０１５８】
また、特別図柄表示部３４０の近傍には、普通図柄表示部３３８が設けられている。普通図柄表示部３３８は、複数の発光ダイオードを一組とした複数組の表示用ランプで構成されており、これら表示用ランプが交互に点灯・消灯を繰り返すことによって、普通図柄としての変動表示が行われる。
【０１５９】
普通図柄表示部３３８の近傍には、特別図柄保留ランプ及び普通図柄保留ランプからなる保留ランプ群３５５が設けられている。この保留ランプ群３５５のうち、特別図柄保留ランプは、保留されている特別図柄の変動表示の実行回数（保留回数）を表示する。例えば、第１始動口３３０又は第２始動口３４９へのいずれかの入賞に基づき、特別図柄の変動表示の実行が１回分保留されている場合には、特別図柄保留ランプが点灯する。
【０１６０】
また保留ランプ群３５５のうち、普通図柄保留ランプは、点灯又は消灯によって保留されている普通図柄の変動表示の実行回数（保留回数）を表示する。特別図柄と同様に、普通図柄の変動表示の実行が１回分保留されている場合には、普通図柄保留ランプが点灯する。
【０１６１】
特別図柄表示部３４０の近傍には、ラウンド数表示器３５６が設けられている。このラウンド数表示器３５６は、特別遊技の実行中においてラウンド数を表示する。
【０１６２】
図１９に示すように、パチンコ遊技機３００の遊技盤３１９には、発射された遊技球を遊技領域３２０へ導くための二つのガイドレール３３５（３３５Ａ及び３３５Ｂ）が設けられている。また、遊技盤３１９には、普通電動役物３５３、始動ゲート３５０、シャッタ３４５、大入賞口３４４、通過ゲート３５９、一般入賞口３６１等が設けられている。
【０１６３】
遊技盤３１９に設けられた普通電動役物３５３には、シャッタが備えられており、このシャッタの内側には、第１始動口３３０が設けられている。遊技球が通過ゲート３５９を通過すると普通図柄ゲームが実行され、このゲームの結果が当たり結果となるとシャッタが開放され、遊技盤３１９に打ち出された遊技球が第１始動口３３０を通過し易くなる。普通図柄表示部３３８において普通図柄が所定の図柄で停止表示された場合には、普通電動役物３５３のシャッタが開放され、第１始動口３３０に遊技球が入り易くなる。また、シャッタを開放状態とした後、所定の時間が経過したときには、シャッタが閉鎖状態となり、第１始動口３３０に遊技球が入らなくなる。このように、普通図柄の変動から停止表示に応じて普通電動役物３５３のシャッタが開放されるゲームを普通図柄ゲームと呼ぶ。
【０１６４】
なお、普通図柄の変動表示中に通過ゲート３５９を遊技球が通過した場合には、変動表示中の普通図柄が停止表示されるまで、普通図柄の変動表示の実行が保留される。そして、普通図柄が停止表示された場合には、保留されていた普通図柄の変動表示が開始される。
【０１６５】
また、第１始動口３３０には入賞口が設けられている。この入賞口には遊技球センサ４１９（図２０）が設けられている。また、第２始動口３４９においても、遊技球センサ４１９が設けられている。遊技球が遊技球センサ４１９によって検出された場合、特別図柄表示部３４０による特別図柄の変動表示が開始される。また、特別図柄の変動表示中に第１始動口３３０又は第２始動口３４９へ遊技球が入賞した場合には、変動表示中の特別図柄が停止表示されるまで、特別図柄の変動表示の実行が保留される。その後、変動表示していた特別図柄が停止表示された場合には、保留されていた特別図柄の変動表示が開始される。なお、特別図柄の変動表示の保留回数には上限が設定されている。
【０１６６】
大入賞口３４４にはシャッタ３４５が設けられている。特別図柄表示部３４０において特定の数字図柄が停止表示され、遊技状態が大当たり遊技状態に移行された場合は、シャッタ３４５が開放され、大入賞口３４４に遊技球が入り易い状態となる。
【０１６７】
シャッタ３４５の背面側に設けられた大入賞口３４４には、遊技球センサ４１９（図２０）を有する領域（図示せず）があり、その領域を所定数の遊技球が通過するか、又は、所定時間が経過するまでシャッタ３４５が開放状態に制御される。そして、これらの条件のいずれかが成立すると、シャッタ３４５は閉鎖状態に制御され、大入賞口３４４には、遊技球が入り難い状態となる。
【０１６８】
シャッタ３４５が開放中に大入賞口３４４に受け入れられた遊技球が遊技球センサ４１９によって検出された場合、一旦閉鎖されたシャッタ３４５が再度開放状態に移行する。これにより、シャッタ３４５の開放状態において大入賞口３４４に入賞した遊技球が遊技球センサ４１９によって検出されると、次のラウンドゲームへ継続して進むことができる。ラウンドゲームとは、シャッタ３４５の開放から閉鎖までの一連のゲームを意味する。
【０１６９】
次に、図２０を参照しながら、パチンコ遊技機３００の制御回路の構成について説明する。図２０は、パチンコ遊技機３００の制御回路を示すブロック図である。
【０１７０】
図２０に示すように、パチンコ遊技機３００には、遊技の進行を制御する主制御回路４６５と、遊技の進行に応じた演出の制御を行う副制御回路５０５とを有している。
【０１７１】
主制御回路４６５は、メインＣＰＵ、メインＲＯＭ、メインＲＡＭ等を備えており、メインＣＰＵは、メインＲＯＭに記憶されたプログラムに従って、各種の処理を実行する。メインＲＯＭには、メインＣＰＵによりパチンコ遊技機３００の動作を制御するためのプログラムや、各種のテーブルが記憶されている。また、メインＲＡＭは、メインＣＰＵの一時記憶領域として種々のフラグや変数を記憶する。
【０１７２】
主制御回路４６５には所定の周期でクロックパルスを発生するリセット用クロックパルス発生回路、電源投入時においてリセット信号を生成する初期リセット回路、副制御回路５０５に対してコマンドを送信するための通信用インターフェイス等が設けられている。
【０１７３】
また、主制御回路４６５には、特別図柄表示部３４０、普通図柄表示部３３８、保留ランプ群３５５、遊技球センサ４１９、役物駆動部４２５、発射装置４３５等が接続されている。特別図柄表示部３４０は、特別図柄ゲームにおける特別図柄の可変表示を行い、特別図柄表示部３３８は、普通図柄ゲームにおける識別情報としての普通図柄の可変表示を行い、保留ランプ群３５５は、特別図柄ゲーム又は普通図柄ゲームにおける実行の保留回数を表示し、遊技球センサ４１９は、第１始動口３３０、第２始動口３４９又は大入賞口３４４に入賞した遊技球を検出し、役物駆動部４２５は、第１始動口３３０の普通電動役物３５３や大入賞口３４４のシャッタ３４５を開閉駆動し、発射装置４３５は、遊技者の操作に応じて、遊技盤３１９へ遊技球を打ち出す。
【０１７４】
また、副制御回路５０５は、主制御回路４６５から供給されるコマンドに基づいて、図柄表示部４００の表示制御、スピーカ３５１Ｌ、３５１Ｒから発生させる音声に関する制御、各種装飾ランプ等の制御を行う。
【０１７５】
副制御回路５０５は、サブＣＰＵ５１０、プログラムＲＯＭ（図示せず）、ワークＲＡＭ（図示せず）、図柄表示部４００における表示制御を行うための表示制御回路５５５、スピーカ３５１Ｌ、３５１Ｒから発生させる音声に関する制御を行う音声制御回路５３５、装飾ランプ等を含むランプの制御を行うランプ制御回路５４５等を有している。副制御回路５０５は、主制御回路４６５からのコマンドに応じて遊技の進行に応じた演出を実行し、図柄表示部４００、スピーカ３５１（３５１Ｌ、３５１Ｒ）及びランプ３３７を駆動制御する。
【０１７６】
副制御回路５０５のサブＣＰＵ５１０は、主制御回路４６５から供給されるコマンドと、プログラムＲＯＭに記憶されたプログラムとに基づいて、各種の処理を実行する。このプログラムＲＯＭには、サブＣＰＵ５１０によって実行されるパチンコ遊技機３００の演出を行うためのプログラムやデータテーブルが記憶されている。副制御回路５０５のワークＲＡＭは、サブＣＰＵ５１０の一時記憶領域として種々のフラグや変数を記憶する。
【０１７７】
副制御回路５０５の表示制御回路５５５は、図柄表示部４００の表示制御を行う回路であり、表示すべき数字と、その表示色と、表示の大きさ（例えば図１７（ａ）に示した縮小表示又は図１７（ｂ）に示した拡大表示）とを制御する。表示制御回路５５５は、サブＣＰＵ５１０からのコマンドに従って、図柄表示部４００の各セグメント表示器１０の端子（図１５）に駆動信号を供給することにより、セグメント表示器１０によって数字を表示させる。また、表示制御回路５５５は、各セグメント表示器１０のステッピングモータ１３０（図８〜図１２）を駆動することにより、各セグメント表示器１０において表示される数字の大きさを変化させることができる。
【０１７８】
副制御回路５０５の音声制御回路５３５は、音声に関する制御を行う音源用プロセッサ、各種の音声データを記憶する音声データＲＯＭ、音声信号を増幅するための増幅器等を有している。
【０１７９】
副制御回路５０５のランプ制御回路５４５は、ランプ制御信号を供給するためのドライブ回路、複数種類のランプ装飾パターンが記憶されている装飾データＲＯＭ等から構成されている。
【０１８０】
次に、パチンコ遊技機３００で実行される処理について、図２１〜図２４を参照しながら説明する。
【０１８１】
図２１は、主制御回路４６５における主制御処理の処理手順を示し、主制御回路４６５のメインＣＰＵは、ステップＳ１１において特別図柄制御処理を実行する。この特別図柄制御処理において、メインＣＰＵは、特別図柄ゲームの進行に係る制御及び特別図柄表示部３４０に特別図柄を変動表示及び停止表示させるための制御を実行する（図２３）。メインＣＰＵは、この処理が終了すると、続くステップＳ１２に移る。
【０１８２】
ステップＳ１２において、メインＣＰＵは、普通図柄制御処理を実行する。この普通図柄制御処理において、メインＣＰＵは、普通図柄ゲームの進行に係る制御、普通図柄表示部３３８に普通図柄を表示するための制御（図２４）を実行する。メインＣＰＵは、この処理を終了すると、続くステップＳ１３に移る。
【０１８３】
ステップＳ１３において、メインＣＰＵは、特別図柄制御処理、普通図柄制御処理の実行の結果に従って、特別図柄、普通図柄、図柄表示部４００におけるセグメント表示器１０による図柄表示等の可変表示の表示制御を行う図柄表示制御処理を実行する。メインＣＰＵは、この処理を終了すると上述のステップＳ１１に戻る。
【０１８４】
因みに、メインＣＰＵは、図２１に示す主制御処理を実行している間においても、必要に応じて所定の割込処理を実行するようになされている。この割込処理について図２２を用いて説明する。
【０１８５】
図２２は、メインＣＰＵによって実行される割込処理の処理手順を示し、メインＣＰＵは、ステップＳ２１において、メインＣＰＵは、遊技球センサ４１９等の各種センサやスイッチの状態を検出する入力検出処理を実行する。例えば、遊技球センサ４１９から遊技球を検出した旨の通知があると、メインＣＰＵは、その結果をメインＲＡＭに格納する。
【０１８６】
続いて、メインＣＰＵは、ステップＳ２２に移って、主制御回路４６５と副制御回路５０５との同期をとるための待ち時間タイマ、大入賞口３４４の開放時間を計測するための大入賞口開放時間タイマ等、各種のタイマの更新処理を実行する。メインＣＰＵは、この処理が終了すると、続くステップＳ２３に移る。
【０１８７】
ステップＳ２３において、メインＣＰＵは、各種の変数に基づいて駆動制御するための信号を各駆動部に供給する。メインＣＰＵは、この処理が終了すると、続くステップＳ２４に移る。
【０１８８】
ステップＳ２４において、メインＣＰＵは、大当たりを抽選するためのカウンタ等のカウント値をインクリメントするカウンタ更新処理を実行する。メインＣＰＵは、この処理が終了すると、続くステップＳ２５に移る。
【０１８９】
ステップＳ２５において、メインＣＰＵは、各種のコマンドを副制御回路５０５に出力する。メインＣＰＵは、この処理が終了すると、続くステップＳ２６に移る。
【０１９０】
ステップＳ２６において、メインＣＰＵは、遊技の結果に応じて、払出手段としての払出装置（図示せず）に賞球を払い出させるコマンドを出力する。メインＣＰＵは、この処理が終了すると、本サブルーチンを終了し、割込発生前の状態へ戻り、図２１について上述した主制御処理を実行する。
【０１９１】
次に、図２１の特別図柄制御処理（ステップＳ１１）の詳細について図２３を参照しながら説明する。図２３に示すように、メインＣＰＵは、ステップＳ３１において、各部から制御状態を取得することにより、パチンコ遊技機３００における遊技の制御状態をチェックした後、続くステップＳ３２に移る。
【０１９２】
ステップＳ３２において、メインＣＰＵは、特別図柄の変動の保留回数のチェックを行う。保留回数は、第１始動口３３０又は第２始動口３４９の遊技球センサ４１９によって遊技球が検出された場合にメインＲＡＭに記憶される情報であり、メインＣＰＵは、この情報に基づいて保留回数をチェックする。
【０１９３】
そして、メインＣＰＵは、続くステップＳ３３に移って、予め設定されている特別図柄の変動時間が経過したか否かを内部タイマの値に基づいて判断し、変動時間が経過していない場合には、当該ステップＳ３３の処理を繰り返す。これに対して、変動時間が経過した場合には、メインＣＰＵは、ステップＳ３３からステップＳ３４に移って、大当たり判定を行う。
【０１９４】
この大当たり判定処理において、メインＣＰＵは、乱数を用いた内部抽選を行い、続くステップＳ３５において、抽選結果が大当たりであるか否かを判断する。大当たりであると判断されると、メインＣＰＵは、ステップＳ３５からステップＳ３６に移って、大入賞口３４４のシャッタ３４５を開放する。これにより、大入賞口３４４に遊技球が入り易い状態（遊技者に有利な状態）となる。
【０１９５】
そして、メインＣＰＵは、続くステップＳ３７に移って、シャッタ３４５を閉鎖する条件が満たされたか否かを判断する。シャッタ３４５を閉鎖する条件とは、大入賞口３４４に設けられた遊技球センサ４１９の検出結果をカウントするカウンタが所定数以上であること、又はシャッタ３４５の開放時間が予め設定されている時間に達したことのいずれかであり、メインＣＰＵは、これらの条件のいずれかが満足されたか否かを判断する。
【０１９６】
そして、条件が満足されない場合、メインＣＰＵは、上述のステップＳ３６に戻って同様の処理を繰り返す。これに対して、条件が満たされた場合、メインＣＰＵは、ステップＳ３７からステップＳ３８へ移って、大入賞口３４４のシャッタ３４５を閉じ、続くステップＳ３９において、シャッタ３４５の開放回数が予め設定されている上限回数に達したか否かを判断する。上限回数は、予めメインＲＯＭに記憶されている情報であり、メインＣＰＵは、シャッタ３４５が開放されるごとに、開放回数計測用のカウンタをカウントアップして行き、このカウント値とメインＲＯＭに記憶されている上限回数とが一致したとき、上限回数に達したものと判断するようになされている。
【０１９７】
シャッタ３４５の開放回数が上限回数に達している場合、メインＣＰＵは、ステップＳ３９からステップＳ４０へ移って、シャッタ３４５の閉鎖時間として予め設定されている時間を経過したか否かを判断する。所定時間は、予めメインＲＯＭに記憶されている情報であり、メインＣＰＵは、シャッタ３４５が閉鎖されると時間の計測を開始し、この計測結果とメインＲＯＭに記憶されている所定時間とが一致したとき、所定時間が経過したものと判断するようになされている。
【０１９８】
シャッタ３４５の閉鎖時間が所定時間に達していない場合、メインＣＰＵは、所定時間に達するまで当該ステップＳ４０の処理を繰り返す。これに対して、シャッタ３４５の閉鎖時間が所定時間に達している場合、メインＣＰＵは、ステップＳ３９から上述のステップＳ３６へ戻って、再びシャッタ３４５を開放する。
【０１９９】
一方、メインＣＰＵは、上述のステップＳ３５において大当たり判定が得られなかった場合、又は上述のステップＳ３９において開放回数が上限回数に達したものと判断された場合、ステップＳ４１へ移って、特別図柄遊技の終了処理を実行する。
【０２００】
この処理において、メインＣＰＵは、保留回数を示すデータから“１”を減算し、次回の変動表示を行うために、特別図柄を変動させるための記憶領域の更新を行う。メインＣＰＵは、この処理が終了すると、本サブルーチンを終了する。
【０２０１】
次に、図２１の普通図柄制御処理（ステップＳ１２）の詳細について図２４を参照しながら説明する。図２４に示すように、メインＣＰＵは、ステップＳ５１において、各部から制御状態を取得することにより、パチンコ遊技機３００における遊技の制御状態をチェックした後、続くステップＳ５２に移る。
【０２０２】
ステップＳ５２において、メインＣＰＵは、普通図柄の変動の保留回数のチェックを行う。保留回数は、通過ゲート３５９の遊技球センサ４１９によって遊技球が検出された場合にメインＲＡＭに記憶される情報であり、メインＣＰＵは、この情報に基づいて普通図柄の変動の実行に関する保留回数をチェックする。
【０２０３】
そして、メインＣＰＵは、続くステップＳ５３に移って、予め設定されている普通図柄の変動時間が経過したか否かを内部タイマの値に基づいて判断し、変動時間が経過していない場合には、当該ステップＳ５３の処理を繰り返す。これに対して、変動時間が経過した場合には、メインＣＰＵは、ステップＳ５３からステップＳ５４に移って、当たり判定を行う。
【０２０４】
この当たり判定処理において、メインＣＰＵは、乱数を用いた内部抽選を行い、続くステップＳ５５において、抽選結果が当たりであるか否かを判断する。メインＣＰＵは、当たりでないと判断すると、本サブルーチンを終了する。これに対して、当たりであると判断すると、メインＣＰＵは、ステップＳ５５からステップＳ５６に移って、普通電動役物３５３のシャッタを開放する。これにより、第１移動口３３０に遊技球が入り易い状態（遊技者に有利な状態）となる。
【０２０５】
そして、メインＣＰＵは、続くステップＳ５７に移って、シャッタを閉鎖する条件が満たされたか否かを判断する。シャッタを閉鎖する条件とは、予め規定された変動時間を経過することであり、メインＣＰＵは、この条件が満足されたか否かを判断する。
【０２０６】
そして、条件が満足されない場合、メインＣＰＵは、上述のステップＳ５６に戻って同様の処理を繰り返す。これに対して、条件が満たされた場合、メインＣＰＵは、ステップＳ５７からステップＳ５８へ移って、普通電動役物３５３のシャッタを閉じた後、本サブルーチンを終了する。
【０２０７】
次に、副制御回路５０５の処理について図２５を参照しながら説明する。図２５に示すように、パチンコ遊技機３００の電源が投入されると、副制御回路のサブＣＰＵ５１０は、ステップＳ１０１において、主制御回路４６５から受信したコマンドの解析を行った後ステップＳ１０２に移る。
【０２０８】
ステップＳ１０２において、サブＣＰＵ５１０は、図柄表示部４００（セグメント表示器１０）における画像の表示制御を行う表示制御処理を実行する。具体的には、コマンド解析処理において主制御回路４６５から大当たり判定コマンド及び当たり判定コマンドを受信したと判定した場合に、変動パターン指定コマンドに対応する演出パターンに基づいて各種演出表示が行われる。主制御回路４６５から大当たり判定コマンド又は当たり判定コマンドが副制御回路５０５に送信された場合、図１９に示した図柄表示部４００では、大当たり判定コマンドに基づく結果（特別図柄ゲームの結果）又は当たり判定コマンドに基づく結果（普通図柄ゲームの結果）を変動停止表示する。これに対して、主制御回路４６５から大当たり判定コマンド又は当たり判定コマンドが副制御回路５０５に送信されない場合、図柄表示部４００では、必ずはずれの停止表示態様となるダミーの変動停止表示がなされる。この処理が終了した場合には、ステップＳ１０３に移る。このように、図柄表示部４００では、サブＣＰＵ５１０により、特別図柄ゲームの大当たりや普通図柄ゲームの当たりに応じた図柄変動表示が行われる（図２６）。
【０２０９】
ステップＳ１０３において、サブＣＰＵ５１０は、スピーカ３５１Ｌ、３５１Ｒから音声を発生させる制御を行った後、続くステップＳ１０４に移る。ステップＳ１０４において、サブＣＰＵ５１０は、各種のランプの発光制御を行う。
【０２１０】
そして、サブＣＰＵ５１０は、ステップＳ１０５へ移って、サブＲＡＭの所定領域に割り当てられた各種の乱数カウンタの乱数値を更新する。この乱数値は、図柄表示部４００において演出用に表示される図柄の停止態様を抽選により決定するための乱数値等である。この処理が終了すると、サブＣＰＵ５１０は上述のステップＳ１０１に戻って同様の処理を繰り返す。
【０２１１】
図２６は、図２５において上述した表示制御処理（ステップＳ１０２）の詳細を示すフローチャートである。図２６に示すように、サブＣＰＵ５１０は、ステップＳ２０１において、大当たり判定コマンドを受信したか否かを判断し、受信したと判断すると、ステップＳ２０１からステップＳ２０２へ処理を移して、図柄表示部４００（セグメント表示器１０）において表示される図柄を一定時間拡大表示する。この時間は、例えば、図柄が停止表示されるまでの時間よりも長く設定される。そして、サブＣＰＵ５１０は、続くステップＳ２０３へ処理を移して、大当たり判定コマンドに基づく結果を図柄表示部４００において停止表示する。
【０２１２】
一方、ステップＳ２０１において大当たりコマンドを受信していないと判断すると、サブＣＰＵ５１０は、ステップＳ２０１からステップＳ２０４へ処理を移して、当たり判定コマンドを受信したか否かを判断する。ここで受信したと判断すると、サブＣＰＵ５１０は、ステップＳ２０４からステップＳ２０５へ処理を移して、図柄表示部４００（セグメント表示器１０）において表示される図柄の大きさを維持し、続くステップＳ２０６へ処理を移して、当たり判定コマンドに基づく結果を図柄表示部４００に停止表示する。
【０２１３】
これにより、図２７に示すように、図柄表示部４００においては、第１始動口３３０や、第２始動口３４９に遊技球が入球したことを条件として、特別図柄の可変表示が実行されると共に、セグメント表示器１０において図柄（数字）が変動表示され（図２７（ａ））、大当たりとなると、図柄表示部４００の各セグメント表示器１０において表示される数字が拡大された状態で停止表示され（図２７（ｂ））、その後、停止表示した図柄（数字）が通常の大きさに縮小される（図２７（ｃ））。このように、図柄表示部４００においては、大当たりとなった場合に、変動図柄の大きさが一旦大きくなって、停止表示されることにより、遊技者に対して、大当たりである旨を印象強くアピールすることができる。
【０２１４】
このように、パチンコ遊技機３００においては、セグメント表示器１０を用いて図柄（数字）を表示するようにしたことにより、表示される数字の大きさを表示セグメント１１〜１６（図３、図４）の移動というこれまでにない態様で変化させることができ、これにより、遊技者に対する印象的な演出を行うことが可能となる。
【０２１５】
（他の実施の形態）
（１）  上述の実施の形態においては、図８及び図９に示した移動機構部１００によって表示セグメント１１〜１６を互いに接近した状態（縮小）又は互いに離間した状態（拡大）に制御する場合について述べたが、これに限られるものではなく、他のリンク機構を用いて各表示セグメント１１〜１６を縮小又は拡大するようにしてもよい。
【０２１６】
例えば、図２８〜図３１に示すように表示セグメント１１〜１６の発光体基板５１〜５６を搭載するベース部材６１１〜６１６を設け、これらを表示セグメント１１〜１６の縮小又は拡大時の移動方向に直接移動させるようにしてもよい。
【０２１７】
すなわち、図２８は、表示セグメント１１〜１６を互いに接近させた縮小状態における移動機構部６００を示す正面図であり、図２９は、表示セグメント１１〜１６を互いに離間させた拡大状態における移動機構部６００を示す正面図である。また、図３０は、縮小状態における移動機構部６００を示す側面図であり、図３１は、拡大状態における移動機構部６００を示す側面図である。
【０２１８】
なお、図２８〜図３１において、図８〜図１２と同一部分には同一符号を付して、重複した説明は省略する。
【０２１９】
図２８〜図３１に示すように、移動機構部６００は、ベース部材６０１と、このベース部材６０１の主面に形成されたガイド孔６０１Ｅ、６０１Ｆ、６０１Ｓ及び６０１Ｔにガイドされて左右方向に移動可能に支持された左右動リンク部材６２１、６２２と、ベース部材６０１の主面に形成されたガイド孔６０１Ａ〜６０１Ｘにガイドされて斜め方向又は左右方向に移動可能に支持された移動ベース部材１１１〜１１６と、駆動原であるステッピングモータ１３０とを備えている。
【０２２０】
すなわち、ベース部材６０１の主面には、斜め方向に形成されたガイド孔６０１Ａ〜６０１Ｄが形成され、このガイド孔６０１Ａ〜６０１Ｄには、移動ベース部材１１１の背面側に固定されたガイドボス１１１Ｅ〜１１１Ｈが係合され、これにより移動ベース部材１１１は、ガイド孔６０１Ａ〜６０１Ｄにガイドされて斜め方向に移動可能となっている。
【０２２１】
ベース部材６０１の主面には、左右方向に形成されたガイド孔６０１Ｅ〜６０１Ｈが形成され、このガイド孔６０１Ｅ〜６０１Ｈには、移動ベース部材１１２の背面側に固定されたガイドボス１１２Ｅ〜１１２Ｈが係合され、これにより移動ベース部材１１２は、ガイド孔６０１Ｅ〜６０１Ｈにガイドされて左右方向に移動可能となっている。
【０２２２】
ベース部材６０１の主面には、斜め方向に形成されたガイド孔６０１Ｉ〜６０１Ｌが形成され、このガイド孔６０１Ｉ〜６０１Ｌには、移動ベース部材１１３の背面側に固定されたガイドボス１１３Ｅ〜１１３Ｈが係合され、これにより移動ベース部材１１３は、ガイド孔６０１Ｉ〜６０１Ｌにガイドされて斜め方向に移動可能となっている。
【０２２３】
ベース部材６０１の主面には、斜め方向に形成されたガイド孔６０１Ｍ〜６０１Ｐが形成され、このガイド孔６０１Ｍ〜６０１Ｐには、移動ベース部材１１４の背面側に固定されたガイドボス１１４Ｅ〜１１４Ｈが係合され、これにより移動ベース部材１１４は、ガイド孔６０１Ｍ〜６０１Ｐにガイドされて斜め方向に移動可能となっている。
【０２２４】
ベース部材６０１の主面には、左右方向に形成されたガイド孔６０１Ｑ〜６０１Ｔが形成され、このガイド孔６０１Ｑ〜６０１Ｔには、移動ベース部材１１５の背面側に固定されたガイドボス１１５Ｅ〜１１５Ｈが係合され、これにより移動ベース部材１１５は、ガイド孔６０１Ｑ〜６０１Ｔにガイドされて左右方向に移動可能となっている。
【０２２５】
ベース部材６０１の主面には、斜め方向に形成されたガイド孔６０１Ｕ〜６０１Ｘが形成され、このガイド孔６０１Ｕ〜６０１Ｘには、移動ベース部材１１６の背面側に固定されたガイドボス１１６Ｅ〜１１６Ｈが係合され、これにより移動ベース部材１１６は、ガイド孔６０１Ｕ〜６０１Ｘにガイドされて斜め方向に移動可能となっている。
【０２２６】
また、左右動リンク部材６２１には、上下方向にガイドするガイド孔６２１Ａ、６２１Ｂが形成されており、ガイド孔６２１Ａ、６２１Ｂには、移動ベース部材１１１のガイドボス１１１Ｅ、１１１Ｆが係合されている。すなわち、ガイドボス１１１Ｅは、ガイド孔６２１Ａ及び６０１Ａの両方に係合され、また、ガイドボス１１１Ｆは、ガイド孔６２１Ｂ及び６０１Ｂの両方に係合されている。これにより、左右動リンク部材６２１が左右方向に移動すると、これに伴って、移動ベース部材１１１がガイド孔６０１Ａ〜６０１Ｄにガイドされて斜め方向に移動するようになされている。
【０２２７】
左右動リンク部材６２１には、移動ベース部材１１２のガイドボス１１２Ｅ、１１２Ｆを挿入する孔部（図示せず）が係合されている。ガイドボス１１２Ｅは、この孔部を介してガイド孔６０１Ｅに係合され、また、ガイドボス１１２Ｆは、孔部を介してガイド孔６０１Ｆに係合されている。これにより、左右動リンク部材６２１が左右方向に移動すると、これに伴って、移動ベース部材１１２がガイド孔６０１Ｅ〜６０１Ｈにガイドされて左右方向に移動するようになされている。
【０２２８】
左右動リンク部材６２１には、上下方向にガイドするガイド孔６２１Ｃ、６２１Ｄが形成されており、ガイド孔６２１Ｃ、６２１Ｄには、移動ベース部材１１３のガイドボス１１３Ｅ、１１３Ｆが係合されている。すなわち、ガイドボス１１３Ｅは、ガイド孔６２１Ｃ及び６０１Ｉの両方に係合され、また、ガイドボス１１３Ｆは、ガイド孔６２１Ｄ及び６０１Ｊの両方に係合されている。これにより、左右動リンク部材６２１が左右方向に移動すると、これに伴って、移動ベース部材１１３がガイド孔６０１Ｉ〜６０１Ｌにガイドされて斜め方向に移動するようになされている。
【０２２９】
左右動リンク部材６２２には、上下方向にガイドするガイド孔６２２Ｄ、６２２Ｃが形成されており、ガイド孔６２２Ｄ、６２２Ｃには、移動ベース部材１１４のガイドボス１１４Ｇ、１１４Ｈが係合されている。すなわち、ガイドボス１１４Ｇは、ガイド孔６２２Ｄ及び６０１Ｏの両方に係合され、また、ガイドボス１１４Ｈは、ガイド孔６２２Ｃ及び６０１Ｐの両方に係合されている。これにより、左右動リンク部材６２２が左右方向に移動すると、これに伴って、移動ベース部材１１４がガイド孔６０１Ｍ〜６０１Ｐにガイドされて斜め方向に移動するようになされている。
【０２３０】
左右動リンク部材６２２には、移動ベース部材１１５のガイドボス１１５Ｇ、１１５Ｈを挿入する孔部（図示せず）が係合されている。ガイドボス１１５Ｇは、この孔部を介してガイド孔６０１Ｓに係合され、また、ガイドボス１１５Ｈは、孔部を介してガイド孔６０１Ｔに係合されている。これにより、左右動リンク部材６２２が左右方向に移動すると、これに伴って、移動ベース部材１１５がガイド孔６０１Ｑ〜６０１Ｔにガイドされて左右方向に移動するようになされている。
【０２３１】
左右動リンク部材６２２には、上下方向にガイドするガイド孔６２２Ｂ、６２２Ａが形成されており、ガイド孔６２２Ｂ、６２２Ａには、移動ベース部材１１６のガイドボス１１６Ｇ、１１６Ｈが係合されている。すなわち、ガイドボス１１６Ｇは、ガイド孔６２２Ｂ及び６０１Ｗの両方に係合され、また、ガイドボス１１６Ｈは、ガイド孔６２２Ａ及び６０１Ｘの両方に係合されている。これにより、左右動リンク部材６２２が左右方向に移動すると、これに伴って、移動ベース部材１１６がガイド孔６０１Ｕ〜６０１Ｘにガイドされて斜め方向に移動するようになされている。
【０２３２】
左右動リンク部材６２１、６２２には、ラック６２１Ｙ、６２２Ｙが設けられており、このラックがピニオンギア１３０Ａに歯合されている。これにより、ステッピングモータ１３０を駆動することにより、左右動リンク部材６２１、６２２を左右方向に移動させることができ、これに応じて、移動ベース部材１１１〜１１６を互いに接近する方向又は互いに離間する方向に移動させることができる。
【０２３３】
このように図２８〜図３１に示した移動機構部６００によれば、ベース部材６０１の主面において、移動ベース部材１１１〜１１６の移動方向にガイド孔６０１Ａ〜６０１Ｘを形成し、このガイド孔６０１Ａ〜６０１Ｘに沿って移動ベース部材１１１〜１１６を移動させることができる。
【０２３４】
（２）  上述の実施の形態においては、図８及び図９に示した移動機構部１００によって表示セグメント１１〜１６を互いに接近した状態（縮小）又は互いに離間した状態（拡大）に制御する場合について述べたが、これに限られるものではなく、他のリンク機構を用いて各表示セグメント１１〜１６を縮小又は拡大するようにしてもよい。
【０２３５】
例えば、図３２〜図３５に示すように表示セグメント１１〜１６の発光体基板５１、５３、５４及び５６を搭載し、上下方向に移動する移動ベース部材１１１、１１３、１１４及び１１６と、発光体基板５２及び５５を搭載し、左右方向に移動する左右動リンク部材７２１及び７２２と、移動ベース部材１１１、１１３、１１４及び１１６を上下方向に移動させるための上下動リンク部材７４１及び７４２とを備え、左右動リンク部材７２１及び７２２をカム機構部７５０によって左右に移動させ、上下動リンク部材７４１及び７４２をカム機構部７５０によって上下に移動させるようにしてもよい。
【０２３６】
すなわち、図３２は、表示セグメント１１〜１６を互いに接近させた縮小状態における移動機構部７００を示す正面図であり、図３３は、表示セグメント１１〜１６を互いに離間させた拡大状態における移動機構部７００を示す正面図である。また、図３４は、縮小状態における移動機構部７００を示す側面図であり、図３５は、拡大状態における移動機構部７００を示す側面図である。
【０２３７】
なお、図３２〜図３５において、図８〜図１２と同一部分には同一符号を付して、重複した説明は省略する。
【０２３８】
図３２〜図３５に示すように、移動機構部７００は、ベース部材７０１の主面には、左右方向に形成されたガイド孔７０１Ａ〜７０１Ｈが形成され、ガイド孔７０１Ａ〜７０１Ｄには、左右動リンク部材７２１の背面側に固定されたガイドボス７２１Ｉ〜７２１Ｌが係合され、これにより左右動リンク部材７２１は、ガイド孔７０１Ａ〜７０１Ｄにガイドされて左右方向に移動可能となっている。また、ガイド孔７０１Ｅ〜７０１Ｈには、左右動リンク部材７２２の背面側に固定されたガイドボス７２２Ｉ〜７２２Ｌが係合され、これにより左右動リンク部材７２２は、ガイド孔７０１Ｅ〜７０１Ｈにガイドされて左右方向に移動可能となっている。
【０２３９】
左右動リンク部材７２１には、上下方向にガイドするガイド孔７２１Ａ〜７２１Ｄが形成され、このガイド孔７２１Ａ〜７２１Ｄには、移動ベース部材１１１の背面側に固定されたガイドボス１１１Ｅ〜１１１Ｈが係合され、これにより移動ベース部材１１１は、ガイド孔７２１Ａ〜７２１Ｄにガイドされて上下方向に移動可能となっている。また、左右動リンク部材７２１には、上下方向に形成されたガイド孔７２１Ｅ〜７２１Ｈが形成され、このガイド孔７２１Ｅ〜７２１Ｈには、移動ベース部材１１３の背面側に固定されたガイドボス１１３Ｅ〜１１３Ｈが係合され、これにより移動ベース部材１１３は、ガイド孔７２１Ｅ〜７２１Ｈにガイドされて上下方向に移動可能となっている。
【０２４０】
左右動リンク部材７２２には、上下方向にガイドするガイド孔７２２Ａ〜７２２Ｄが形成され、このガイド孔７２２Ａ〜７２２Ｄには、移動ベース部材１１６の背面側に固定されたガイドボス１１６Ｅ〜１１６Ｈが係合され、これにより移動ベース部材１１６は、ガイド孔７２２Ａ〜７２２Ｄにガイドされて上下方向に移動可能となっている。また、左右動リンク部材７２２には、上下方向に形成されたガイド孔７２２Ｅ〜７２２Ｈが形成され、このガイド孔７２２Ｅ〜７２２Ｈには、移動ベース部材１１４の背面側に固定されたガイドボス１１４Ｅ〜１１４Ｈが係合され、これにより移動ベース部材１１４は、ガイド孔７２２Ｅ〜７２２Ｈにガイドされて上下方向に移動可能となっている。
【０２４１】
また、上下動リンク部材７４１には、左右方向にガイドするガイド孔７４１Ａ及び７４１Ｂが形成され、このガイド孔７４１Ａ及び７４１Ｂには、移動ベース部材１１１のガイドボス１１１Ｆ及び１１１Ｇが係合されている。すなわち、ガイドボス１１１Ｆは、ガイド孔７４１Ａ及び７２１Ｂの両方に係合され、また、ガイドボス１１１Ｇは、ガイド孔７４１Ｂ及び７２１Ｃの両方に係合されている。これにより、左右動リンク部材７２１が左右方向に移動すると、これに伴って、移動ベース部材１１１は、左右方向に移動するようになされている。
【０２４２】
上下動リンク部材７４２には、左右方向にガイドするガイド孔７４２Ａ及び７４２Ｂが形成され、このガイド孔７４２Ａ及び７４２Ｂには、移動ベース部材１１３のガイドボス１１３Ｅ及び１１３Ｈが係合されている。すなわち、ガイドボス１１３Ｅは、ガイド孔７４２Ａ及び７２１Ｅの両方に係合され、また、ガイドボス１１３Ｈは、ガイド孔７４２Ｂ及び７２１Ｈの両方に係合されている。これにより、左右動リンク部材７２１が左右方向に移動すると、これに伴って、移動ベース部材１１３は、左右方向に移動するようになされている。
【０２４３】
また、上下動リンク部材７４１には、左右方向にガイドするガイド孔７４１Ｃ及び７４１Ｄが形成され、このガイド孔７４１Ｃ及び７４１Ｄには、移動ベース部材１１６のガイドボス１１６Ｆ及び１１６Ｇが係合されている。すなわち、ガイドボス１１６Ｆは、ガイド孔７４１Ｃ及び７２２Ｂの両方に係合され、また、ガイドボス１１６Ｇは、ガイド孔７４１Ｄ及び７２２Ｃの両方に係合されている。これにより、左右動リンク部材７２２が左右方向に移動すると、これに伴って、移動ベース部材１１６は、左右方向に移動するようになされている。
【０２４４】
上下動リンク部材７４２には、左右方向にガイドするガイド孔７４２Ｃ及び７４２Ｄが形成され、このガイド孔７４２Ｃ及び７４２Ｄには、移動ベース部材１１４のガイドボス１１４Ｅ及び１１４Ｈが係合されている。すなわち、ガイドボス１１４Ｅは、ガイド孔７４２Ｃ及び７２２Ｅの両方に係合され、また、ガイドボス１１４Ｈは、ガイド孔７４２Ｄ及び７２２Ｈの両方に係合されている。これにより、左右動リンク部材７２２が左右方向に移動すると、これに伴って、移動ベース部材１１４は、左右方向に移動するようになされている。
【０２４５】
左右動リンク部材７２１及び７２２は、コイルばね７６１及び７６２によって互いに接近する方向に付勢されており、ステッピングモータ１３０の回転軸に嵌合されたカム７５１が回転することで、左右動リンク部材７２１、７２２の当接部７２１Ｘ、７２２Ｘを押し広げ、これにより、左右動リンク部材７２１、７２２を左右方向に互いに離間するように移動させることができる。また、さらにステッピングモータ１３０を回転させると、カム７５１の回転に伴って、左右動リンク部材７２１、７２２は、コイルばね７６１、７６２によって互いに接近する方向に移動することとなる。これにより、移動ベース部材１１１、１１３、１１４及び１１６を、左右方向に互いに離間又は接近するように移動させることができる。移動ベース部材１１１、１１３、１１４及び１１６には、取付けボスを介して発光体基板５１、５３、５４及び５６が搭載されており、また、左右動リンク部材７２１、７２２には、取付けボス７２１Ｐ、７２１Ｑ、７２２Ｐ、７２２Ｑを介して発光体基板５２、５５が搭載されている。これにより、ステッピングモータ１３０を回転させることにより、発光体基板５１〜５３と、５４〜５６とを左右方向に互いに離間するように移動させることができる。
【０２４６】
また、上下動リンク部材７４１及び７４２は、コイルばね７６３及び７６４によって互いに接近する方向に付勢されており、ステッピングモータ１３０の回転軸に嵌合されたカム７５２が回転することで、上下動リンク部材７４１、７４２の当接部７４１Ｘ、７４２Ｘを押し広げ、これにより、上下動リンク部材７４１、７４２を上下方向に互いに離間するように移動させることができる。また、さらにステッピングモータ１３０を回転させると、カム７５２の回転に伴って、上下動リンク部材７４１、７４２は、コイルばね７６３、７６４によって互いに接近する方向に移動することとなる。これにより、移動ベース部材１１１、１１３、１１４及び１１６を、上下方向に互いに離間又は接近するように移動させることができる。移動ベース部材１１１、１１３、１１４及び１１６には、取付けボスを介して発光体基板５１、５３、５４及び５６が搭載されており、これにより、ステッピングモータ１３０を回転させることにより、発光体基板５１及び５６と、５３及び５４とを左右方向に互いに離間するように移動させることができる。
【０２４７】
カム７５１及び７５２は、同一のステッピングモータ１３０の回転軸に互いに９０度の回転角度をもって取り付けられていることにより、ステッピングモータ１３０を回転駆動すると、移動ベース部材１１１、１１３、１１４及び１１６は、斜め方向に移動することとなる。
【０２４８】
このように図３２〜図３５に示した移動機構部７００によれば、カム機構部７５０を用いて移動ベース部材１１１〜１１６を互いに離間する方向又は接近する方向に移動させることができる。
【０２４９】
なお、以上説明した移動機構部１００、６００及び７００は例示にすぎず、他の種々の構成のものを用いることができる。
【０２５０】
（３）  上述の実施の形態において、セグメント枠６１〜６６の構成として、隣接する発光体基板５１〜５６の背面側に挿入される反射板を設けるようにしてもよい。例えば、図３６に示すように、セグメント枠６２において反射板６２Ｘを設け、この反射板６２Ｘが隣接する発光体基板５１、５３の発光体背面側に介挿されるようにすることで、発光体からの光をさらに効率よく正面側に照射させることができる。
【０２５１】
（４）  上述の実施の形態においては、図６に示したように、セグメント枠６１〜６６において、発光体ａ１〜ｇ２とマスク部材２１〜２６との間に拡散板７１Ｂ、７２Ｂ、７２Ｇ、７２Ｃ、……を設ける場合について述べたが、これに限られるものではなく、マスク部材２１〜２６の前面に配置するようにしてもよい。すなわち、発光体、マスク部材及び拡散板の順に配置するようにしてもよい。また、発光体ａ１〜ｇ２として、拡散型のもの（拡散型ＬＥＤ等）を用いるようにしてもよい。
【０２５２】
（５）  上述の実施の形態においては、セグメント表示器１０によって遊技に応じて演出表示される図柄（数字）を表示する場合について述べたが、これに限られるものではなく、特別図柄を表示する表示器又は普通図柄を表示する表示器等に広く適用することができる。
【０２５３】
（６）  上述の実施の形態においては、セグメント表示器１０によって数字を表示する場合について述べたが、これに限られるものではなく、他の文字又は図形（これらを含めて図柄と称する）、若しくはこれらの結合からなるものを表示する場合に広く適用することができる。
【０２５４】
（７）  上述の実施の形態においては、セグメント表示器１０をパチンコ遊技機３００に搭載する場合について述べたが、これに限られるものではなく、例えば、パチスロ遊技機等、他の種々の遊技機に広く適用することができる。
【０２５５】
（セグメント表示器の概要）
本実施の形態におけるセグメント表示器１０は、複数の表示セグメント１１〜１６を用いて文字又は図形を表示するセグメント表示器１０であって、複数の表示セグメント１１〜１６を用いて表示される文字又は図形の大きさを変化させる表示変化手段（移動機構部１００、セグメント枠６１〜６６、マスク部材２１〜２６、表示セグメント１１〜１６、発光体ａ１〜ｇ２、発光体基板５１〜５６）を備えたことを特徴とする。
【０２５６】
この構成によれば、表示変化手段（移動機構部１００、セグメント枠６１〜６６、マスク部材２１〜２６、表示セグメント１１〜１６、発光体ａ１〜ｇ２、発光体基板５１〜５６）によって文字又は図形の大きさを変化させることができるので、単にセグメントの点灯又は消灯によって文字又は図形の大きさを変化させる場合に比べて、これまでにない演出効果を発揮することが可能となる。
【０２５７】
また、本実施の形態のセグメント表示器１０は、上記構成において、表示変化手段（移動機構部１００、セグメント枠６１〜６６、マスク部材２１〜２６、表示セグメント１１〜１６、発光体ａ１〜ｇ２、発光体基板５１〜５６）は、複数の表示セグメント１１〜１６のうち、少なくとも一の表示セグメントを他の表示セグメントに対して相対的に移動させる移動手段（移動機構部１００）を備えることを特徴とする。
【０２５８】
この構成によれば、表示セグメント１１〜１６の移動という機械的な変化により文字又は図形の大きさを変えることができるので、文字又は大きさの変化そのものに演出効果を発揮させることができる。
【０２５９】
また、本実施の形態のセグメント表示器１０は、上記構成において、複数の表示セグメント１１〜１６は、互いに並設されるように配置されており、移動手段（移動機構部１００）は、少なくとも一の表示セグメントを他の表示セグメントに対して接近あるいは離間する方向に移動させることを特徴とする。
【０２６０】
この構成によれば、並設された表示セグメント１１〜１６の移動という機械的な変化により文字又は図形の大きさを変えることができるので、文字又は大きさの変化そのものに演出効果を発揮させることができる。
【０２６１】
また、本実施の形態のセグメント表示器１０は、上記構成において、各表示セグメント１１〜１６は、可動体（移動ベース部材１１１〜１１６、発光体基板５１〜５６）に固定された発光体ａ１〜ｇ２と、当該発光体ａ１〜ｇ２を囲むように立設されたセグメント枠部（セグメント枠６１〜６６）を有するとともに、隣り合う表示セグメント１１〜１６におけるセグメント枠部（セグメント枠６１〜６６）が連続的に立設した状態となるように互いに並設されていることを特徴とする。
【０２６２】
この構成によれば、発光体ａ１〜ｇ２を囲むように立設されたセグメント枠部（セグメント枠６１〜６６）によって発光領域が形成され、さらに隣り合う表示セグメント１１〜１６におけるセグメント枠部（セグメント枠６１〜６６）が連続的に形成されていることにより、隣り合う表示セグメント１１〜１６の発光領域が連続的に形成されることになる。これにより、隣り合う表示セグメント１１〜１６を離間させて表示される文字又は図形の大きさを大きくした場合であっても、表示される文字又は図形を均一に発光させることができる。
【０２６３】
また、本実施の形態のセグメント表示器１０は、上記構成において、発光体ｂ１からの光を透過する第１の透過部３１Ｂであって、表示セグメント１１の一部を構成する第１の形状に形成された第１の透過部３１Ｂを有する第１のマスクシート２１を含み、発光体ｂ１及び第１のマスクシート２１が一体に可動する一の表示セグメントとしての第１のセグメント部材１１と、発光体ｂ２からの光を透過する第２の透過部３２Ｂであって、前記表示セグメント３１の第１の形状に隣接する第２の形状に形成された第２の透過部３２Ｂを有する第２のマスクシート２２を含み、発光体ｂ２及び第２のマスクシート２２が一体に可動する他の表示セグメントとしての第２のセグメント部材１２とを備え、移動手段（移動機構部１００）は、第１の透過部３１Ｂの一部と第２の透過部３２Ｂの一部とが重畳した状態となるように、第１のセグメント部材１１及び第２のセグメント部材１２を接近あるいは離間する方向に移動させることを特徴とする。
【０２６４】
この構成によれば、表示される数字等の一部を構成する第１の形状で形成された第１の透過部３１Ｂを有する第１のマスクシート２１と、第１の形状に隣接する第２の形状で形成された第２の透過部３２Ｂを有する第２のマスクシート２２とを、第１の形状及び第２の形状の接続を保ちながら、互いの距離が変化するように可動させることにより、表示される数字等の一部（例えば縦画Ｎ１）の大きさを各々変化させ、これにより、表示される数字等の全体としての大きさを変化させることができる。
【０２６５】
また、本実施の形態のセグメント表示器１０は、上記構成において、第１のマスクシート２１の第１の透過部３１Ｂを透過する第１の発光体ｂ１からの光を拡散させる第１の拡散シート７１Ｂと、第２のマスクシート２２の第２の透過部３２Ｂを透過する第２の発光体ｂ２からの光を拡散させる第２の拡散シート７２Ｂとを備えることを特徴とする。
【０２６６】
この構成によれば、拡散シート７１Ｂ、７２Ｂを用いて発光体ｂ１、ｂ２からの光を拡散させることにより、第１及び第２のセグメント部材２１、２２の間隔を拡げた場合においても、発光体ｂ１、ｂ２からの光を均一に発光させることができる。
【０２６７】
（パチンコ遊技機の概要）
また、本実施の形態のパチンコ遊技機３００は、前記いずれかに記載されたセグメント表示器１０を搭載した遊技機であることを特長とする。
【０２６８】
この構成によれば、表示変化手段（移動機構部１００、セグメント枠６１〜６６、マスク部材２１〜２６、表示セグメント１１〜１６、発光体ａ１〜ｇ２、発光体基板５１〜５６）によって図柄の大きさを変化させることができるので、単にセグメントの点灯又は消灯によって図柄の大きさを変化させる場合に比べて、これまでにない演出効果を発揮することが可能となる。このようなセグメント表示器１０を搭載したパチンコ遊技機３００においては、遊技の抽選結果に応じて変動表示及び停止表示される図柄の大きさが変化するという演出によって、遊技者の期待感を煽ることが可能となり、遊技の興趣性を一段と高めることができる。
【０２６９】
また、本実施の形態のパチンコ遊技機３００は、遊技者による操作が可能な操作手段（発射ハンドル３３１）と、遊技者の操作に応じて遊技の進行を制御する制御手段（主制御回路４６５）と、遊技者にとって有利な遊技状態へ移行するか否かの抽選を行う抽選手段（主制御回路４６５）と、図柄を変動表示し、抽選の結果に応じて図柄を停止表示させる図柄表示手段（図柄表示部４００）と、を備え、図柄表示手段（図柄表示部４００）は、複数の表示セグメント１１〜１６を用いて文字又は図形を表示するセグメント表示器１０であって、複数の表示セグメント１１〜１６を用いて表示される文字又は図形の大きさを変化させることを特徴とする。
【０２７０】
この構成によれば、文字（数字を含む）又は図形等の図柄の大きさを変化させることができるので、単にセグメントの点灯又は消灯によって図柄の大きさを変化させる場合に比べて、これまでにない演出効果を発揮することが可能となる。このようなセグメント表示器１０を搭載した遊技機においては、遊技の抽選結果に応じて変動表示及び停止表示される図柄の大きさが変化するという演出によって、遊技者の期待感を煽ることが可能となり、遊技の興趣性を一段と高めることができる。
【符号の説明】
【０２７１】
１０  セグメント表示器
１１〜１６  表示セグメント
２１〜２６  マスク部材
３１Ａ〜３６Ｆ  透光部
５１〜５６  発光体基板
６１〜６６  セグメント枠
７１Ｂ、７２Ｂ、７２Ｃ、７２Ｇ  拡散板
１００、６００、７００  移動機構部
１０１、６０１、７０１  ベース部材
１１１〜１１６  移動ベース部材
１２１、１２２  左右動ベース部材
１３０  ステッピングモータ
１３０Ａ  ピニオンギア
１２１Ｘ、１２２Ｘ、１４１Ｙ、１４２Ｙ  ラック
１４１、１４２、７４１、７４２  上下動リンク部材
１６０  可動範囲センサ
３００  パチンコ遊技機
３１９  遊技盤
３２０  遊技領域
３３１  発射ハンドル
３５８  ランプユニット
４００  図柄表示部
４６５  主制御回路
５０５  副制御回路
５１０  サブＣＰＵ
６２１、６２２、７２１、７２２  左右動リンク部材
ａ１〜ｇ２  発光体
Ｎ１、Ｎ２、Ｎ４、Ｎ６  縦画
Ｎ３、Ｎ５、Ｎ７  横画
【図１】
2010201042.tif 000003
【図２】
2010201042.tif 000004
【図３】
2010201042.tif 000005
【図４】
2010201042.tif 000006
【図５】
2010201042.tif 000007
【図６】
2010201042.tif 000008
【図７】
2010201042.tif 000009
【図８】
2010201042.tif 000010
【図９】
2010201042.tif 000011
【図１０】
2010201042.tif 000012
【図１１】
2010201042.tif 000013
【図１２】
2010201042.tif 000014
【図１３】
2010201042.tif 000015
【図１４】
2010201042.tif 000016
【図１５】
2010201042.tif 000017
【図１６】
2010201042.tif 000018
【図１７】
2010201042.tif 000019
【図１８】
2010201042.tif 000020
【図１９】
2010201042.tif 000021
【図２０】
2010201042.tif 000022
【図２１】
2010201042.tif 000023
【図２２】
2010201042.tif 000024
【図２３】
2010201042.tif 000025
【図２４】
2010201042.tif 000026
【図２５】
2010201042.tif 000027
【図２６】
2010201042.tif 000028
【図２７】
2010201042.tif 000029
【図２８】
2010201042.tif 000030
【図２９】
2010201042.tif 000031
【図３０】
2010201042.tif 000032
【図３１】
2010201042.tif 000033
【図３２】
2010201042.tif 000034
【図３３】
2010201042.tif 000035
【図３４】
2010201042.tif 000036
【図３５】
2010201042.tif 000037
【図３６】
2010201042.tif 000038